(57)【特許請求の範囲】
【請求項１】
無線通信システムの複数の搬送波を用いてエボルブドマルチメディアブロードキャスト／マルチキャストサービス（ｅＭＢＭＳ）を送信するための方法であって、
セカンダリ搬送波で基地局から単一周波数ネットワーク（ＭＢＳＦＮ）信号でのマルチメディアブロードキャスト／マルチキャストサービス（ＭＢＭＳ）を送信することと、
プライマリ搬送波で前記基地局からマルチキャスト制御チャネル（ＭＣＣＨ）を取得するために使用される情報を送信することであって、前記基地局は、前記プライマリ搬送波で少なくともユニキャストシグナリングも送信することと、
前記ＭＣＣＨを取得するために使用される前記情報に関して後方互換不能であり、ｅＭＢＭＳシグナリングを搬送する１つ以上の搬送波に関して前記プライマリ搬送波での共通シグナリングにおいて前記ＭＣＣＨを取得するための前記情報を含め、および／または、前記ＭＣＣＨを取得するために使用される前記情報に関して後方互換可能であり、ｅＭＢＭＳ信号を搬送する１つ以上の搬送波に関して前記プライマリ搬送波での専用シグナリングにおいて前記ＭＣＣＨを取得するための前記情報を含めることと、を備え、
前記方法は、前記プライマリ搬送波のために使用される時分割複信（ＴＤＤ）プロトコルと異なる形で構成されたＴＤＤプロトコルを用いて前記セカンダリ搬送波でＭＢＳＦＮシグナリングを送信することをさらに備える、方法。
【請求項２】
前記プライマリ搬送波のシステム情報ブロック（ＳＩＢ）において前記ＭＣＣＨを取得するための前記情報を含めることをさらに備える請求項１に記載の方法。
【請求項３】
前記プライマリ搬送波の１つ以上のシステム情報ブロック（ＳＩＢ）において前記ＭＣＣＨを取得するための前記情報の少なくとも一部分を含めることをさらに備える請求項１に記載の方法。
【請求項４】
前記プライマリ搬送波のＳＩＢ１３において前記ＭＣＣＨを取得するための前記情報の少なくとも一部分を含めることをさらに備える請求項３に記載の方法。
【請求項５】
無線通信システムの複数の搬送波を用いてエボルブドマルチメディアブロードキャスト／マルチキャストサービス（ｅＭＢＭＳ）を送信するための装置であって、
セカンダリ搬送波で基地局から単一周波数ネットワーク（ＭＢＳＦＮ）信号でのマルチメディアブロードキャスト／マルチキャストサービス（ＭＢＭＳ）を送信するための手段と、
プライマリ搬送波で前記基地局からマルチキャスト制御チャネル（ＭＣＣＨ）を取得するために使用される情報を送信するための手段であって、前記基地局は、前記プライマリ搬送波で少なくともユニキャストシグナリングも送信する手段と、
前記ＭＣＣＨを取得するために使用される前記情報に関して後方互換不能であり、ｅＭＢＭＳシグナリングを搬送する１つ以上の搬送波に関して前記プライマリ搬送波での共通シグナリングにおいて前記ＭＣＣＨを取得するための前記情報を含め、および／または、前記ＭＣＣＨを取得するために使用される前記情報に関して後方互換可能であり、ｅＭＢＭＳ信号を搬送する１つ以上の搬送波に関して前記プライマリ搬送波での専用シグナリングにおいて前記ＭＣＣＨを取得するための前記情報を含めるための手段と、を備え、
前記装置は、前記プライマリ搬送波のために使用される時分割複信（ＴＤＤ）プロトコルと異なる形で構成されたＴＤＤプロトコルを用いて前記セカンダリ搬送波でＭＢＳＦＮシグナリングを送信するための手段をさらに備える、装置。
【請求項６】
無線通信システムの複数の搬送波を用いてエボルブドマルチメディアブロードキャスト／マルチキャストサービス（ｅＭＢＭＳ）を送信し、セカンダリ搬送波で基地局からＭＢＳＦＮ信号を送信するための装置であって、
セカンダリ搬送波で基地局から単一周波数ネットワーク（ＭＢＳＦＮ）信号でのマルチメディアブロードキャスト／マルチキャストサービス（ＭＢＭＳ）を送信し、プライマリ搬送波で前記基地局からマルチキャスト制御チャネル（ＭＣＣＨ）を取得するために使用される情報を送信し、及び、前記ＭＣＣＨを取得するために使用される前記情報に関して後方互換不能であり、ｅＭＢＭＳシグナリングを搬送する１つ以上の搬送波に関して前記プライマリ搬送波での共通シグナリングにおいて前記ＭＣＣＨを取得するための前記情報を含め、および／または、前記ＭＣＣＨを取得するために使用される前記情報に関して後方互換可能であり、ｅＭＢＭＳ信号を搬送する１つ以上の搬送波に関して前記プライマリ搬送波での専用シグナリングにおいて前記ＭＣＣＨを取得するための前記情報を含めるために構成された少なくとも１つのプロセッサであって、前記基地局は、前記プライマリ搬送波で少なくともユニキャストシグナリングも送信する少なくとも１つのプロセッサと、
データを格納するために前記少なくとも１つのプロセッサに結合されたメモリと、を備え、
前記プロセッサは、前記プライマリ搬送波のために使用される時分割複信（ＴＤＤ）プロトコルと異なる形で構成されたＴＤＤプロトコルを用いて前記セカンダリ搬送波でＭＢＳＦＮシグナリングを送信するためにさらに構成される、装置。
【請求項７】
前記プロセッサは、前記プライマリ搬送波のシステム情報ブロック（ＳＩＢ）において前記ＭＣＣＨを取得するための前記情報を含めるためにさらに構成される請求項６に記載の装置。
【請求項８】
前記プロセッサは、前記プライマリ搬送波の１つ以上のシステム情報ブロック（ＳＩＢ）において前記ＭＣＣＨを取得するための前記情報の少なくとも一部分を含めるためにさらに構成される請求項６に記載の装置。
【請求項９】
前記プロセッサは、前記プライマリ搬送波のＳＩＢ１３において前記ＭＣＣＨを取得するための前記情報の少なくとも一部分を含めるためにさらに構成される請求項８に記載の装置。
【請求項１０】
無線通信システムの複数の搬送波を用いてエボルブドマルチメディアブロードキャスト／マルチキャストサービス（ｅＭＢＭＳ）を送信するためのコンピュータプログラムであって、
セカンダリ搬送波で基地局から単一周波数ネットワーク（ＭＢＳＦＮ）信号でのマルチメディアブロードキャスト／マルチキャストサービス（ＭＢＭＳ）を送信し、プライマリ搬送波で前記基地局からマルチキャスト制御チャネル（ＭＣＣＨ）を取得するために使用される情報を送信し、及び、前記ＭＣＣＨを取得するために使用される前記情報に関して後方互換不能であり、ｅＭＢＭＳシグナリングを搬送する１つ以上の搬送波に関して前記プライマリ搬送波での共通シグナリングにおいて前記ＭＣＣＨを取得するための前記情報を含め、および／または、前記ＭＣＣＨを取得するために使用される前記情報に関して後方互換可能であり、ｅＭＢＭＳ信号を搬送する１つ以上の搬送波に関して前記プライマリ搬送波での専用シグナリングにおいて前記ＭＣＣＨを取得するための前記情報を含めるためのコードを備え、前記基地局は、前記プライマリ搬送波で少なくともユニキャストシグナリングも送信し、
前記コンピュータプログラムは、前記プライマリ搬送波のために使用される時分割複信（ＴＤＤ）プロトコルと異なる形で構成されたＴＤＤプロトコルを用いて前記セカンダリ搬送波でＭＢＳＦＮシグナリングを送信するためのコードをさらに備える、コンピュータプログラム。
【請求項１１】
無線通信システムの複数の搬送波を用いてのエボルブドマルチメディアブロードキャスト／マルチキャストサービス（ｅＭＢＭＳ）を受信するための方法であって、
セカンダリ搬送波でモバイルエンティティにおいて単一周波数ネットワーク（ＭＢＳＦＮ）信号でのマルチメディアブロードキャスト／マルチキャストサービス（ＭＢＭＳ）を受信することと、
プライマリ搬送波の１つ以上のシステム情報ブロック（ＳＩＢ）においてマルチキャスト制御チャネル（ＭＣＣＨ）を取得するための情報の少なくとも一部分を前記プライマリ搬送波で受信することであって、前記プライマリ搬送波は、少なくともユニキャストシグナリングも含むことと、を備え、
前記方法は、前記プライマリ搬送波のために使用される時分割複信（ＴＤＤ）プロトコルと異なる形で構成されたＴＤＤプロトコルを用いて前記セカンダリ搬送波でのＭＢＳＦＮシグナリングを処理することをさらに備える、方法。
【請求項１２】
前記プライマリ搬送波のシステム情報ブロック１３（ＳＩＢ１３）において前記ＭＣＣＨを取得するための前記情報を受信することをさらに備える請求項１１に記載の方法。
【請求項１３】
前記プライマリ搬送波のＳＩＢ１３において前記ＭＣＣＨを取得するための前記情報の少なくとも一部分を受信することをさらに備える請求項１１に記載の方法。
【請求項１４】
無線通信システムの複数の搬送波を用いてエボルブドマルチメディアブロードキャスト／マルチキャストサービス（ｅＭＢＭＳ）を受信するための装置であって、
セカンダリ搬送波でモバイルエンティティにおいて単一周波数ネットワーク（ＭＢＳＦＮ）信号でのマルチメディアブロードキャスト／マルチキャストサービス（ＭＢＭＳ）を受信するための手段と、
プライマリ搬送波の１つ以上のシステム情報ブロック（ＳＩＢ）においてマルチキャスト制御チャネル（ＭＣＣＨ）を取得するための情報の少なくとも一部分を前記プライマリ搬送波で受信するための手段であって、前記プライマリ搬送波は、少なくともユニキャストシグナリングも含む手段と、を備え、
前記装置は、前記プライマリ搬送波のために使用される時分割複信（ＴＤＤ）プロトコルと異なる形で構成されたＴＤＤプロトコルを用いて前記セカンダリ搬送波でのＭＢＳＦＮシグナリングを処理するための手段をさらに備える、装置。
【請求項１５】
無線通信システムの複数の搬送波を用いてエボルブドマルチメディアブロードキャスト／マルチキャストサービス（ｅＭＢＭＳ）を受信するための装置であって、
セカンダリ搬送波でモバイルエンティティにおいて単一周波数ネットワーク（ＭＢＳＦＮ）信号でのマルチメディアブロードキャスト／マルチキャストサービス（ＭＢＭＳ）を受信し、及び、プライマリ搬送波の１つ以上のシステム情報ブロック（ＳＩＢ）においてマルチキャスト制御チャネル（ＭＣＣＨ）を取得するための情報の少なくとも一部分を前記プライマリ搬送波で受信するために構成された少なくとも１つのプロセッサであって、前記プライマリ搬送波は、少なくともユニキャストシグナリングも含む少なくとも１つのプロセッサと、
データを格納するために前記少なくとも１つのプロセッサに結合されたメモリと、を備え、
前記プロセッサは、前記プライマリ搬送波のために使用される時分割複信（ＴＤＤ）プロトコルと異なる形で構成されたＴＤＤプロトコルを用いて前記セカンダリ搬送波でのＭＢＳＦＮシグナリングを処理するためにさらに構成される、装置。
【請求項１６】
前記プロセッサは、前記プライマリ搬送波のシステム情報ブロック１３（ＳＩＢ１３）において前記ＭＣＣＨを取得するための前記情報を受信するためにさらに構成される請求項１５に記載の装置。
【請求項１７】
前記プロセッサは、前記プライマリ搬送波のＳＩＢ１３において前記ＭＣＣＨを取得するための前記情報の少なくとも一部分を受信するためにさらに構成される請求項１５に記載の装置。
【請求項１８】
無線通信システムの複数の搬送波を用いてエボルブドマルチメディアブロードキャスト／マルチキャストサービス（ｅＭＢＭＳ）を受信するためのコンピュータプログラムであって、
セカンダリ搬送波でモバイルエンティティにおいて単一周波数ネットワーク（ＭＢＳＦＮ）信号でのマルチメディアブロードキャスト／マルチキャストサービス（ＭＢＭＳ）を受信し、及び、プライマリ搬送波の１つ以上のシステム情報ブロック（ＳＩＢ）においてマルチキャスト制御チャネル（ＭＣＣＨ）を取得するための情報の少なくとも一部分を前記プライマリ搬送波で受信するためのコードを備え、前記プライマリ搬送波は、少なくともユニキャストシグナリングも含み、
前記コンピュータプログラムは、前記プライマリ搬送波のために使用される時分割複信（ＴＤＤ）プロトコルと異なる形で構成されたＴＤＤプロトコルを用いて前記セカンダリ搬送波でＭＢＳＦＮシグナリングを送信するためのコードをさらに備える、コンピュータプログラム。
【発明の詳細な説明】
【技術分野】
【０００１】
関連出願の相互参照
本出願は、米国仮特許出願一連番号第６１／４４５，９９０号（出願日：２０１１年２月２３日）、及び、米国仮特許出願一連番号第６１／４５３，４６８号（出願日：２０１１年３月１６日）に対する３５Ｕ．Ｓ．Ｃ．§１１９（ｅ）に準拠した優先権を主張するものであり、それらの出願は、それらの全体が引用によってここに組み入れられている。
【０００２】
本開示の態様は、概して、無線通信システムに関するものである。本開示の態様は、より具体的には、エボルブドマルチメディアブロードキャスト／マルチキャストサービス（ｅＭＢＭＳ）エンハンスメントのためのキャリアアグリゲーション（ｃａｒｒｉｅｒ  ａｇｇｒｅｇａｔｉｏｎ）技法に関するものである。
【背景技術】
【０００３】
様々な無線通信サービス、例えば、音声、映像、パケットデータ、メッセージング、ブロードキャスト、等、を提供することを目的として無線通信ネットワークが広範囲にわたって配備されている。これらの無線ネットワークは、利用可能なネットワークリソースを共有することによって複数のユーザをサポートすることが可能な多元接続ネットワークであることができる。該多元接続ネットワークの例は、符号分割多元接続（ＣＤＭＡ）ネットワークと、時分割多元接続（ＴＤＭＡ）ネットワークと、周波数分割多元接続（ＦＤＭＡ）ネットワークと、直交ＦＤＭＡ（ＯＦＤＭＡ）ネットワークと、単一搬送波ＦＤＭＡ（ＳＣ−ＦＤＭＡ）ネットワークと、を含む。ここにおいて使用される場合の“搬送波”は、定義された周波数を中心として、無線通信のために使用される無線帯域を意味する。
【０００４】
無線通信ネットワークは、ユーザ装置（ＵＥ）とも呼ばれる幾つかのモバイルエンティティのための通信をサポートすることができる幾つかの基地局を含むことができる。ＵＥは、ダウンリンク及びアップリンクを介して基地局と通信することができる。ダウンリンク（又は順方向リンク）は、基地局からＵＥへの通信リンクを意味し、アップリンク（又は逆方向リンク）は、ＵＥから基地局への通信リンクを意味する。
【０００５】
第３世代パートナーシッププロジェクト（３ＧＰＰ）ロングタームエボリューション（Ｌｏｎｇ  Ｔｅｒｍ  Ｅｖｏｌｕｔｉｏｎ）（ＬＴＥ）は、グローバル移動体通信システム（ＧＳＭ（登録商標））及びユニバーサル移動通信システム（ＵＭＴＳ）の進化としてのセルラー技術の長足の進歩を代表するものである。ＬＴＥ物理層（ＰＨＹ）は、基地局、例えば、エボルブド（ｅｖｏｌｖｅｄ）（進化された）ノードＢ（ｅＮＢ）、とモバイルエンティティ、例えば、ＵＥ、との間でデータ及び制御情報の両方を搬送するための非常に効率的な方法を提供する。先行出願では、マルチメディアのための高帯域幅通信を容易にするための方法は、単一周波数ネットワーク（ＳＦＮ）動作となっている。ＳＦＮは、加入者ＵＥと通信するために無線送信機、例えば、ｅＮＢ、を利用する。ユニキャスト動作では、各ｅＮＢは、加入者ＵＥに向けられた情報を搬送する信号を送信するために制御される。ユニキャストシグナリングの特異性は、人と人との間のサービス、例えば、音声通話、テキストメッセージング、映像通話、等、を可能にする。
【０００６】
ブロードキャスト動作では、同期化された形で信号をブロードキャストするようにブロードキャストエリア内の幾つかのｅＮＢが制御され、ブロードキャストエリア内のあらゆる加入者ＵＥによって受信及びアクセスすることができる情報を搬送する。ブロードキャスト動作の普遍性は、一般大衆が関心を有する情報、例えば、イベントに関連するマルチメディア放送、を送信する上でより高い効率を可能にする。イベントに関連するマルチメディア及びその他の放送サービスに関する要求及びシステム能力が増大するのに従い、システムオペレータは、３ＧＰＰネットワークにおけるブロードキャスト動作を利用することに対する関心をますます高めてきている。過去には、３ＧＰＰ  ＬＴＥ技術は、主にユニキャストサービスのために使用され、ブロードキャストシグナリングに関連する改良及びエンハンスメント（ｅｎｈａｎｃｅｍｅｎｔ）（拡張）のための機会を逃している。
【発明の概要】
【０００７】
ｅＭＢＭＳエンハンスメントのためのキャリアアグリゲーション技法を提供するための方法、装置及びシステムが詳細な発明を実施するための形態において説明され、幾つかの態様が以下において要約される。本発明の概要及び後続する詳細な発明を実施するための形態は、統合された開示の補完的な部分であると解釈されるべきであり、それらの部分は、冗長な主題及び／又は補完的な主題を含むことができる。いずれの節における省略も、統合された出願において説明される要素が優先されること又は相対的に重要であることを示すものではない。各々の開示から明らかになるはずであるように、各節間における相違点には、代替実施形態の補足的な開示、追加の詳細、又は、異なる用語を用いた同一の実施形態に関する代替説明を含むことができる。
【０００８】
一態様では、無線通信システムの複数の搬送波を用いてエボルブドｅＭＢＭＳを送信するための方法は、セカンダリ搬送波で基地局から単一搬送波ネットワーク（ＭＢＳＦＮ）信号でのマルチメディアブロードキャスト／マルチキャストサービス（ＭＢＭＳ）を送信することを含むことができる。方法は、プライマリ搬送波で基地局からマルチキャスト制御チャネル（ＭＣＣＨ）を取得するために使用される情報を送信することをさらに含むことができ、基地局は、プライマリ搬送波で少なくともユニキャストシグナリングも送信する。方法は、ｅＭＢＭＳ信号を搬送する１つ以上の後方互換可能な搬送波に関してプライマリ搬送波での専用シグナリングにおいてＭＣＣＨを取得するための情報を提供することをさらに含めることができ、他方、ｅＭＢＭＳシグナリングを搬送する１つ以上の後方互換不能な搬送波に関してプライマリ搬送波での共通シグナリングにおいてＭＣＣＨを取得するための情報を含める。
【０００９】
より詳細な態様では、方法は、プライマリ搬送波のシステム情報ブロック（ＳＩＢ）においてＭＣＣＨを取得するための情報を提供することを含むことができる。ＳＩＢは、プライマリ搬送波のシステム情報ブロック１３（ＳＩＢ１３）であることができる。ＭＣＣＨ取得情報を含むシステム情報は、基地局からブロードキャストすることができる。代替態様では、ＭＣＣＨを取得するための情報の全体未満の部分をプライマリ搬送波のＳＩＢ（例えば、ＳＩＢ１３）に含めることができる。
【００１０】
他の態様では、方法は、プライマリ搬送波のために使用される時分割複信（ＴＤＤ）プロトコルと異なる形で構成されたＴＤＤプロトコルを用いて第２の搬送波でＭＢＳＦＮシグナリングを送信することを含むことができる。基地局は、第１のＴＤＤプロトコルによりプライマリ搬送波でのＭＢＳＦＮシグナリングを構成すること、及び第１のＴＤＤプロトコルと異なる第２のＴＤＤプロトコルにより第２の搬送波でのＭＢＳＦＮシグナリングを構成することができる。
【００１１】
補完的態様では、無線通信システムのモバイルエンティティは、プライマリ搬送波及びセカンダリ搬送波でのＭＢＳＦＮ信号を受信することができ、プライマリ搬送波での専用シグナリングにおいて、又はプライマリ搬送波での共通シグナリングにおいて、ＭＣＣＨを取得するための情報を含む。例えば、一態様では、モバイルエンティティは、ＳＩＢ、例えば、ＳＩＢ１３、においてＭＣＣＨを取得するための情報を受信することができる。
【００１２】
他の態様では、ＭＢＳＦＮのために使用されるサブフレームを割り当てるための方法を無線通信システムの基地局によって実施することができる。方法は、ＭＢＳＦＮ情報を搬送波するサブフレームの増大された割り当て（ｉｎｃｒｅａｓｅｄ  ａｌｌｏｃａｔｉｏｎ）を提供するために混合搬送波で本来はユニキャストサブフレーム用に予約された１つ以上のサブフレームのうちの少なくとも一部分を割り当てることを含むことができる。方法は、基地局からサブフレームの増大された割り当てでＭＢＳＦＮ信号を送信する（例えば、ブロードキャストする）ことをさらに含むことができる。
【００１３】
サブフレームを割り当てるための方法は、周波数分割複信（ＦＤＤ）プロトコルによりサブフレームを割り当てることをさらに含むことができる。例えば、方法は、ＭＢＳＦＮ情報のために奇数の無線フレーム内のサブフレーム５を割り当てることを含むことができる。他の態様では、方法は、システム情報ブロック（ＳＩＢ）をスケジューリングすることと、偶数の無線フレーム内のサブフレーム５及びサブフレーム０のうちの少なくとも１つにおいてページングすることと、を含むことができる。さらなる例では、方法は、ＭＢＳＦＮ情報のためにサブフレーム４及び９のうちの少なくとも１つを割り当てることを含むことができる。
【００１４】
代替態様では、サブフレームを割り当てるための方法は、時分割複信（ＴＤＤ）プロトコルによりサブフレームを割り当てることをさらに含むことができる。例えば、方法は、ＭＢＳＦＮ情報のためにサブフレーム１及び６のうちの少なくとも１つを割り当てること、又はＦＤＤプロトコルに関して上述される特定の割り当てを使用することを含むことができる。
【００１５】
ユニキャストサービスとマルチキャストサービスとの間でのサブフレームの割り当ては、要求又はその他の要因に応じて変えることができる。例えば、サブフレームを割り当てるための方法は、ＭＢＳＦＮのために搬送波を専用で使用する一時的な期間に対処するためにサブフレームの増大された割り当てを提供するためにサブフレームを割り当てることをさらに含むことができる。該事例では、方法は、一時的な期間の経過に応答して、本来はユニキャストシグナリング用に予約されている１つ以上のサブフレームのうちの少なくとも一部分を再度割り当てることをさらに含むことができる。
【００１６】
補完的な態様では、無線通信システムのモバイルエンティティは、搬送波、例えば、上記において要約された方法を用いて割り当てられたＭＢＳＦＭ及びユニキャストの混合シグナリングを有する搬送波、内のＭＢＳＦＮ及びユニキャスト信号を解釈するための方法を実施することができる。方法は、ＭＢＳＦＮ信号がＭＢＳＦＮ情報を搬送するサブフレームの増大された割り当てを有すると決定することを含むことができ、ユニキャスト信号用に予め予約されている１つ以上のサブフレームが、マルチキャストコンテンツ出力を提供するために増大された割り当てによりＭＢＳＦＮ信号を復号するマルチキャスト信号に代わりに割り当てられる。方法は、上記で要約される割り当て方法のさらに補完的な態様、例えば、ＦＤＤプロトコル又はＴＤＤプロトコルにおいて、ＭＢＳＦＮ情報、又はＳＩＢＳのために奇数の無線フレーム内のサブフレーム５を復号することと、偶数の無線フレーム内のサブフレーム５及びサブフレーム０のうちの少なくとも１つにおいてページングすることと、をさらに含むことができる。さらなる例では、方法は、ＦＤＤプロトコルでのＭＢＳＦＮ情報のためにサブフレーム４及び９のうちの少なくとも１つを復号すること、又はＴＤＤプロトコルでのＭＢＳＦＮ情報のためにサブフレーム１及び６のうちの少なくとも１つを復号することを含むことができる。モバイルエンティティは、基地局による指示に従い、搬送波内のユニキャスト信号とＭＢＳＦＮ信号との間での割り当ての変更に基づいてそれの復号を変更することができる。
【００１７】
関連する態様では、上記において要約された方法及び方法の態様のうちのいずれかを実施するための無線通信装置を提供することができる。装置は、例えば、メモリに結合されたプロセッサを含むことができ、メモリは、上述される動作を実施することを装置に行わせるためにプロセッサによって実行するための命令を保持する。該装置の幾つかの態様（例えば、ハードウェアに関する態様）は、装置、例えば、無線通信のために使用される様々なタイプのモバイルエンティティ又は基地局、が典型例であることができる。同様に、製造品を提供することができ、プロセッサによって実行されたときに上記において要約された方法又は方法の態様を実施することを無線通信装置に行わせる符号化された命令を保持する非一時的なコンピュータによって読み取り可能な媒体を含む。
【００１８】
上記の方法の動作はすべて、ここの別の場所でより詳細に説明されるコンポーネントを用いて、無線通信システムのネットワークエンティティによって実施することができる。ｅＭＢＭＳエンハンスメントのためのキャリアアグリゲーションを提供するためにこれらの方法のうちのいずれも使用することができるが、それらは、セルラー無線通信システムにおいてマルチメディアブロードキャストマルチキャストサービスのためにその他のプロトコルを用いてキャリアアグリゲーションを提供するためにも使用することができる。
【図面の簡単な説明】
【００１９】
【図１】遠距離通信システムの例を概念的に示すブロック図である。
【図２】遠距離通信システムにおけるダウンリンクフレーム構造の例を概念的に示すブロック図である。
【図３】本開示の一態様により構成された基地局／ｅＮＢ及びＵＥの設計を概念的に示すブロック図である。
【図４Ａ】連続的キャリアアグリゲーションタイプを開示した図である。
【図４Ｂ】非連続的キャリアアグリゲーションタイプを開示した図である。
【図５】ＭＡＣ層データアグリゲーションを開示した図である。
【図６Ａ】ＭＢＳＦＮサブフレームでのＭＢＳＦＮ基準信号の既存の割り当てを例示した図である。
【図６Ｂ】非ＭＢＳＦＮサブフレームでのユニキャスト基準信号の既存の割り当てを例示した図である。
【図７】キャリアアグリゲーションを用いるｅＭＢＭＳエンハンスメントの実施形態を例示した図である。
【図８】ネットワークエンティティで実施される、複数の搬送波を用いてｅＭＢＭＳサービスを送信するための方法の実施形態を例示した図である。
【図９】ネットワークエンティティで実施される、複数の搬送波を用いてｅＭＢＭＳサービスを送信するための方法の実施形態を例示した図である。
【図１０】ネットワークエンティティで実施される、複数の搬送波を用いてｅＭＢＭＳサービスを送信するための方法の実施形態を例示した図である。
【図１１】ネットワークエンティティで実施される、複数の搬送波を用いてｅＭＢＭＳサービスを送信するための方法の実施形態を例示した図である。
【図１２】図８乃至１１の方法による、複数の搬送波を用いてｅＭＢＭＳサービスを送信するための装置の実施形態を例示した図である。
【図１３】モバイルエンティティで実施される、複数の搬送波を用いてｅＭＢＭＳサービスを受信するための方法の実施形態を例示した図である。
【図１４】モバイルエンティティで実施される、複数の搬送波を用いてｅＭＢＭＳサービスを受信するための方法の実施形態を例示した図である。
【図１５】モバイルエンティティで実施される、複数の搬送波を用いてｅＭＢＭＳサービスを受信するための方法の実施形態を例示した図である。
【図１６】図１３乃至１５の方法による、複数の搬送波を用いてｅＭＢＭＳサービスを受信するための装置の実施形態を例示した図である。
【図１７】ネットワークエンティティで実施される、複数の搬送波を用いてｅＭＢＭＳサービスを送信するための代替方法の実施形態を例示した図である。
【図１８】ネットワークエンティティで実施される、複数の搬送波を用いてｅＭＢＭＳサービスを送信するための代替方法の実施形態を例示した図である。
【図１９】図１７−１８の方法による、複数の搬送波を用いてｅＭＢＭＳサービスを送信するための装置の実施形態を例示した図である。
【図２０】モバイルエンティティで実施される、複数の搬送波を用いてｅＭＢＭＳサービスを受信するための代替方法の実施形態を例示した図である。
【図２１】モバイルエンティティで実施される、複数の搬送波を用いてｅＭＢＭＳサービスを受信するための代替方法の実施形態を例示した図である。
【図２２】図２０−２１の方法による、複数の搬送波を用いてｅＭＢＭＳサービスを受信するための装置の実施形態を例示した図である。
【図２３】ネットワークエンティティで実施される、複数の搬送波を用いるｅＭＢＭＳサービスのために使用されるサブフレームを割り当てるための方法の実施形態を例示した図である。
【図２４】ネットワークエンティティで実施される、複数の搬送波を用いるｅＭＢＭＳサービスのために使用されるサブフレームを割り当てるための方法の実施形態を例示した図である。
【図２５】ネットワークエンティティで実施される、複数の搬送波を用いるｅＭＢＭＳサービスのために使用されるサブフレームを割り当てるための方法の実施形態を例示した図である。
【図２６】ネットワークエンティティで実施される、複数の搬送波を用いるｅＭＢＭＳサービスのために使用されるサブフレームを割り当てるための方法の実施形態を例示した図である。
【図２７】図２３乃至２６の方法による、ｅＭＢＭＳサービスのために使用されるサブフレームを割り当てるための装置の実施形態を例示した図である。
【図２８】
【図２９】モバイルエンティティで実施される、複数の搬送波を用いるｅＭＢＭＳサービスのために使用されるサブフレームを復号するための方法の実施形態を例示した図である。
【図３０】モバイルエンティティで実施される、複数の搬送波を用いるｅＭＢＭＳサービスのために使用されるサブフレームを復号するための方法の実施形態を例示した図である。
【図３１】モバイルエンティティで実施される、複数の搬送波を用いるｅＭＢＭＳサービスのために使用されるサブフレームを復号するための方法の実施形態を例示した図である。
【図３２】図２９乃至３１の方法による、ｅＭＢＭＳサービスのために使用されるサブフレームを復号するための装置の実施形態を例示した図である。
【図３３】ネットワークエンティティで実施される、キャリアアグリゲーションを用いたｅＭＢＭＳエンハンスメントのための方法の実施形態を例示した図である。
【図３４】モバイルエンティティで実施される、キャリアアグリゲーションを用いたｅＭＢＭＳエンハンスメントのための方法の実施形態を例示した図である。
【図３５Ａ】図３３の方法のさらなる態様を示した図である。
【図３５Ｂ】図３３の方法のさらなる態様を示した図である。
【図３６Ａ】図３４の方法のさらなる態様を示した図である。
【図３６Ｂ】図３４の方法のさらなる態様を示した図である。
【図３７】図３４の方法のさらなる態様を示した図である。
【図３８】図３３及び３５Ａ−Ｂの方法による、キャリアアグリゲーションを用いたｅＭＢＭＳエンハンスメントのための装置の実施形態を例示した図である。
【図３９】図３４及び３６Ａ乃至Ｃの方法による、キャリアアアグリゲーションを用いたｅＭＢＭＳエンハンスメントのための装置の実施形態を例示した図である。
【発明を実施するための形態】
【００２０】
以下の詳細な発明を実施するための形態は、添付図と関係され、様々な構成に関する説明であることが意図され、ここにおいて説明される概念を実践することができる唯一の構成を表すことは意図されない。詳細な発明を実施するための形態は、様々な概念に関する徹底的な理解を提供することを目的とする具体的な詳細を含む。しかしながら、これらの概念はこれらの具体的な詳細なしに実践可能であることが当業者にとって明確であろう。幾つかの例においては、該概念を曖昧にすることを回避するために、よく知られた構造及びコンポーネントは、ブロック図形で示される。
【００２１】
ここにおいて説明される技法は、様々な無線通信ネットワーク、例えば、ＣＤＭＡ、ＴＤＭＡ、ＦＤＭＡ、ＯＦＤＭＡ、ＳＣ−ＦＤＭＡ及びその他のネットワーク、に関して用いることができる。用語“ネットワーク”及び“システム”は、しばしば互換可能な形で用いられる。ＣＤＭＡネットワークは、ユニバーサル地上無線アクセス（ＵＴＲＡ）、ＣＤＭＡ２０００、等の無線技術を実装することができる。ＵＴＲＡは、広帯域ＣＤＭＡ（ＷＣＤＭＡ（登録商標））と、ＣＤＭＡのその他の変形と、を含む。ＣＤＭＡ２０００は、ＩＳ−２０００規格、ＩＳ−９５規格及びＩＳ−８５６規格を網羅する。ＴＤＭＡネットワークは、グローバル移動体通信システム（ＧＳＭ）、等の無線技術を実装することができる。ＯＦＤＭＡネットワークは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（Ｌｏｎｇ  Ｔｅｒｍ  Ｅｖｏｌｕｔｉｏｎ）（ＬＴＥ）及びＬＴＥ−Ａｄｖａｎｃｅｄ（ＬＴＥ−Ａ）は、Ｅ−ＵＴＲＡを使用するＵＭＴＳの新しいリリース版である。ＵＴＲＡ、Ｅ−ＵＴＲＡ、ＵＭＴＳ、ＬＴＥ、ＬＴＥ−Ａ及びＧＳＭは、“第３世代パートナーシッププロジェクト”（３ＧＰＰ）という名称の組織からの文書において記述される。ｃｄｍａ２０００及びＵＭＢは、“第３世代パートナーシッププロジェクト２”（３ＧＰＰ２）という名称の組織からの文書において記述される。ここにおいて説明される技法は、上述される無線ネットワーク及び無線技術、及びその他の無線ネットワーク及び無線技術のために用いることができる。明確化のため、これらの技法の幾つかの態様は、ＬＴＥに関して以下において説明されており、以下の説明の多くの部分においてはＬＴＥ用語が用いられる。
【００２２】
図１は、ＬＴＥネットワークであることができる無線通信ネットワーク１００を示す。無線ネットワーク１００は、幾つかのｅＮＢ１１０と、その他のネットワークエンティティと、を含むことができる。ｅＮＢは、ＵＥと通信する局であることができ及び基地局、ノードＢ、アクセスポイント、又はその他の用語で呼ばれることもある。各ｅＮＢ１１０ａ、１１０ｂ、１１０ｃは、特定の地理上のエリアのための通信カバレッジを提供することができる。３ＧＰＰでは、用語“セル”は、その用語が使用される文脈に依存して、カバレッジエリアにサービスを提供するｅＮＢ及び／又はｅＮＢサブシステムのこのカバレッジエリアを意味することができる。
【００２３】
ｅＮＢは、マクロセル、ピコセル、フェムトセル、及び／又はその他のタイプのセルのための通信カバレッジを提供することができる。マクロセルは、相対的に大きい地理上のエリア（例えば、半径数キロメートル）を網羅することができ、サービス加入契約を有するＵＥによる無制限のアクセスを許容することができる。ピコセルは、相対的に小さい地理上のエリアを網羅し、サービス加入契約を有するＵＥによる無制限のアクセスを許容することができる。フェムトセルは、相対的に小さい地理上のエリア（例えば、住宅）を網羅し、フェムトセルとの関連性を有するＵＥ（例えば、クローズド加入者グループ（ＣＳＧ）内のＵＥ、住宅内のユーザのためのＵＥ、等））による制限されたアクセスを許容することができる。マクロセルのためのｅＮＢは、マクロｅＢと呼ばれることがある。ピコセルためのｅＮＢは、ピコｅＮＢと呼ばれることがある。フェムトセルのためのｅＮＢは、フェムトｅＮＢ又はホームｅＮＢ（ＨＮＢ）と呼ばれることがある。図１に示される例では、ｅＮＢ１１０ａ、１１０ｂ及び１１０ｃは、マクロセル１０２ａ、１０２ｂ及び１０２ｃのためのそれぞれのマクロｅＮＢであることができる。ｅＮＢ１００ｘは、ピコセル１０２ｘのためのピコｅＮＢであることができる。ｅＮＢ１００ｙ及び１１０ｚは、フェムトセル１０２ｙ及び１０２ｚのそれぞれのためのフェムトｅＮＢであることができる。ｅＮＢは、１つ又は複数の（例えば、３つの）セルをサポートすることができる。
【００２４】
無線ネットワーク１００は、中継局１１０ｒを含むこともできる。中継局は、上流局（例えば、ｅＮＢ、ＵＥ、等）からのデータ及び／又はその他の情報の送信を受信し、下流局（例えば、ＵＥ又はｅＮＢ、等）にデータ及び／又はその他の情報の送信を送る局である。中継局は、その他のＵＥのための送信を中継するＵＥであることもできる。図１に示された例では、中継局１１０ｒは、ｅＮＢ１１０ａとＵＥ１２０ｒとの間での通信を容易にするためにｅＮＢ１１０ａ及びＵＥ１２０ｒと通信することができる。中継局は、中継ｅＮＢ、リレー、等と呼ばれることもある。
【００２５】
無線ネットワーク１００は、異なるタイプのｅＮＢ、例えば、マクロｅＮＢ、ピコｅＮＢ、フェムトｅＮＢ、リレー、等を含む異種ネットワークであることができる。これらの異なるタイプのｅＮＢは、異なる送信電力レベル、異なるカバレッジエリア、及び無線ネットワーク１００での干渉に対する異なる影響を有することができる。例えば、マクロｅＮＢは、高い送信電力レベル（例えば、２０ワット）を有することができ、ピコｅＮＢ、フェムトｅＮＢ及びリレーは、それよりも低い送信電力レベル（例えば、１ワット）を有することができる。
【００２６】
無線ネットワーク１００は、同期的な又は非同期的な動作をサポートすることができる。同期的な動作に関しては、ｅＮＢは、同様のフレームタイミングを有することができ、及び、異なるｅＮＢからの送信は、時間の点でほぼ整合させることができる。非同期的な動作に関しては、ｅＮＢは、異なるフレームタイミングを有することができ、及び、異なるｅＮＢからの送信は、時間の点で整合させることができない。ここにおいて説明される技法は、同期的な動作及び非同期的な動作の両方に関して使用することができる。
【００２７】
ネットワークコントローラ１３０は、ｅＮＢの組に結合し、これらのｅＮＢに関する調整及び制御を提供することができる。ネットワークコントローラ１３０は、バックホールを介してｅＮＢ１１０と通信することができる。ｅＮＢ１１０は、例えば、直接的に又は無線バックホール又は有線バックホールを介して間接的に、互いに通信することもできる。
【００２８】
ＵＥ１２０は、無線ネットワーク１００全体にわたって分散することができ、各ＵＥは、静止型又は移動型であることができる。ＵＥは、端末、移動局、加入者ユニット、局、等と呼ばれることもある。ＵＥは、携帯電話、パーソナルデジタルアシスタント（ＰＤＡ）、無線モデム、無線通信デバイス、ハンドヘルドデバイス、ラップトップコンピュータ、コードレスフォン、ワイヤレスローカルループ（ＷＬＬ）局、又はその他のモバイルエンティティであることができる。ＵＥは、マクロｅＮＢ、ピコｅＮＢ、フェムトｅＮＢ、リレー、又はその他のモバイルエンティティと通信することができる。図１において、２つの矢印を有する太線は、ＵＥと、ダウンリンク及び／又はアップリンクでＵＥにサービスを提供するように指定されたｅＮＢであるサービングｅＮＢとの間での希望される送信を示す。２つの矢印を有する破線は、ＵＥとｅＮＢとの間で干渉している送信を示す。
【００２９】
ＬＴＥは、ダウンリンクでは直交周波数分割多重（ＯＦＤＭ）、アップリンクでは単一搬送波周波数分割多重（ＳＣ−ＦＤＭ）を利用する。ＯＦＤＭ及びＳＣ−ＦＤＭは、システム帯域幅を複数（Ｋ）の直交副搬送波に分割し、それらは、共通してトーン、ビン、等とも呼ばれる。各副搬送波は、データとともに変調することができる。概して、変調シンボルは、ＯＦＤＭの場合は周波数領域で、ＳＣ−ＦＤＭの場合は時間領域で送信される。隣接する副搬送波間の間隔は、一定であることができ、副搬送波の総数（Ｋ）は、システム帯域幅に依存することができる。例えば、Ｋは、１．２５、２．５、５、１０又は２０メガヘルツ（ＭＨｚ）のシステム帯域幅に関してはそれぞれ１２８、２５６、５１２、１０２４又は２０４８に等しいことができる。システム帯域幅は、サブバンドに分割することもできる。例えば、サブバンドは、１．０８ＭＨｚを網羅することができ、１．２５、２．５、５、１０又は２０ＭＨｚのシステム帯域幅に関してはそれぞれ１、２、４、８又は１６のサブバンドが存在することができる。
【００３０】
図２は、ＬＴＥで使用されるダウンリンクフレーム構造を示す。ダウンリンクのための送信タイムラインは、無線フレーム単位に分割することができる。各無線フレームは、予め決定された継続時間（例えば、１０ミリ秒（ｍｓ））を有することができ及び０乃至９のインデックスを有する１０のサブフレームに分割することができる。各サブフレームは、２つのスロットを含むことができる。従って、各無線フレームは、０乃至１９のインデックスを有する２０のスロットを含むことができる。各スロットは、Ｌのシンボル期間、例えば、図２に示されるように、通常のサイクリックプリフィックス（ＣＰ）に関しては７つのシンボル期間又は拡張されたＣＰに関しては６つのシンボル期間、を含むことができる。通常のＣＰ及び拡張されたＣＰは、ここでは異なるＣＰタイプとして言及することができる。各サブフレーム内の２Ｌのシンボル期間には、０乃至２Ｌ−１のインデックスを割り当てることができる。利用可能な時間周波数リソースは、リソースブロックに分割することができる。各リソースブロックは、１つのスロットでＮの副搬送波（例えば、１２の副搬送波）を網羅することができる。
【００３１】
ＬＴＥでは、ｅＮＢは、ｅＮＢ内の各セルに関して一次同期信号（ＰＳＳ）及び二次同期信号（ＳＳＳ）を送信することができる。一次及び二次同期信号は、図２に示されるように、通常のサイクリックプリフィックスを有する各無線フレームのサブフレーム０乃至５の各々において、シンボル期間６及び５でそれぞれ送信することができる。同期信号は、セルの検出及び取得のためにＵＥによって使用することができる。ｅＮＢは、サブフレーム０のスロット１においてシンボル期間０乃至３で物理ブロードキャストチャネル（ＰＢＣＨ）を送信することができる。ＰＢＣＨは、一定のシステム情報を搬送することができる。
【００３２】
ｅＮＢは、図２では第１のシンボル期間全体内に描かれているが、各サブフレームの第１のシンボル期間の一部分のみで物理制御フォーマットインジケータチャネル（ＰＣＦＩＣＨ）を送信することができる。ＰＣＦＩＣＨは、制御チャネルのために使用されるシンボル期間数（Ｍ）を搬送することができ、ここで、Ｍは、１、２又は３に等しいことができ及びサブフレームごとに変わることができる。Ｍは、例えば、１０未満のリソースブロックを有する小さいシステム帯域幅に関しては４に等しいこともできる。図２に示される例では、Ｍ＝３である。ｅＮＢは、各サブフレームの最初のＭのシンボル期間において物理ＨＡＲＱインジケータチャネル（ＰＨＩＣＨ）及び物理ダウンリンク制御チャネル（ＰＤＣＣＨ）を送信することができる（図２ではＭ＝３）。ＰＨＩＣＨは、ハイブリッド自動再送（ＨＡＲＱ）をサポートするための情報を搬送することができる。ＰＤＣＣＨは、ＵＥのためのリソース割り当てに関する情報およびダウンリンクチャネルのための制御情報を搬送することができる。図２の第１のシンボル期間には示されていないが、ＰＤＣＣＨ及びＰＨＩＣＨは、第１のシンボル期間にも含められることが理解される。同様に、図には示されていないが、ＰＨＩＣＨ及びＰＤＣＣＨは、第２のシンボル期間及び第３のシンボル期間の両方にも存在する。ｅＮＢは、各サブフレームの残りのシンボル期間で物理ダウンリンク共有チャネル（ＰＤＳＣＨ）を送信することができる。ＰＤＳＣＨは、ダウンリンクでのデータ送信のためにスケジューリングされたＵＥのためのデータを搬送することができる。公に入手可能な３ＧＰＰ  ＴＳ  ３６．２１１“Evolved Universal Terrestrial Radio Access (E-UTRA); Physical Channels and Modulation”（エボルブドユニバーサル地上無線アクセス（Ｅ−ＵＴＲＡ）；物理チャネル及び変調）においてＬＴＥにおける様々な信号及びチャネルが説明されている。
【００３３】
ｅＮＢは、ｅＮＢによって使用されるシステム帯域幅の中央の１．０８ＭＨｚにおいてＰＳＳ、ＳＳＳ及びＰＢＣＨを送信することができる。ｅＮＢは、ＰＣＦＩＣＨ及びＰＨＩＣＨが送信される各シンボル期間にシステム帯域幅全体でこれらのチャネルを送信することができる。ｅＮＢは、システム帯域幅の幾つかの部分でＵＥのグループにＰＤＣＣＨを送信することができる。ｅＮＢは、システム帯域幅の幾つかの部分でＵＥのグループにＰＤＳＣＨを送信することができる。ｅＮＢは、システム帯域幅の特定の部分で特定のＵＥにＰＤＣＳＣＨを送信することができる。ｅＮＢは、全ＵＥに対してブロードキャスト方式でＰＳＳ、ＳＳＳ、ＰＢＣＨ、ＰＣＦＩＣＨ及びＰＨＩＣＨを送信することができ、及び、特定のＵＥに対してユニキャスト方式でＰＤＣＣＨを送信することができ、及び、特定のＵＥに対してユニキャスト方式でＰＤＳＣＨを送信することもできる。
【００３４】
各シンボル期間において幾つかのリソース要素を利用可能である。各リソース要素は、１つのシンボル期間に１つの副搬送波を網羅することができ及び実数値又は複素値であることができる１つの変調シンボルを送信するために使用することができる。各シンボル期間において基準信号のために使用されないリソース要素は、リソース要素グループ（ＲＥＧ）にまとめることができる。各ＲＥＧは、１つのシンボル期間に４つのリソース要素を含むことができる。ＰＣＦＩＣＨは、４つのＲＥＧを占めることができ、それらは、シンボル期間０において、周波数全体にわたってほぼ均等に配置することができる。ＰＨＩＣＨは、３つのＲＥＧを占めることができ、それらは、１つ以上の構成可能なシンボル期間において、周波数全体にわたって分散させることができる。例えば、ＰＨＩＣＨのための３つのＲＥＧは、すべて、シンボル期間０内に属することができ又はシンボル期間０、１及び２において分散させることができる。ＰＤＣＣＨは、最初のＭのシンボル期間において、９、１８、３２又は６４のＲＥＧを占めることができ、それらは、利用可能なＲＥＧから選択することができる。ＰＤＣＣＨに関しては、ＲＥＧの幾つかの組み合わせのみを許容することができる。
【００３５】
ＵＥは、ＰＨＩＣＨ及びＰＣＦＩＣＨのために使用される特定のＲＥＧを知っていることができる。ＵＥは、ＰＤＣＣＨに関してＲＥＧの異なる組み合わせを探索することができる。探索すべき組み合わせ数は、典型的には、ＰＤＣＣＨに関する許容された組み合わせ数よりも少ない。ｅＮＢは、ＵＥが探索する組み合わせのうちのいずれかでＵＥにＰＤＣＣＨを送信することができる。
【００３６】
ＵＥは、複数のｅＮＢのカバレッジ内に存在することができる。ＵＥにサービスを提供するためにこれらのｅＮＢのうちの１つを選択することができる。サービスを提供するｅＮＢは、様々な基準、例えば、受信電力、経路損、信号対雑音比（ＳＮＲ）、等、に基づいて選択することができる。
【００３７】
図３は、基地局／ｅＮＢ１１０及びＵＥ１２０の設計のブロック図を示し、それは、図１の基地局／ｅＮＢのうちの１つ及びＵＥのうちの１つであることができる。制限された関連付けのシナリオに関しては、基地局１１０は、図１のマクロｅＮＢ１１０ｃであることができ、ＵＥ１２０は、ＵＥ１２０ｙであることができる。基地局１１０は、何らかのその他のタイプの基地局であることもできる。基地局１１０は、アンテナ３３４ａ乃３３４ｔを装備することができ、ＵＥ１２０は、アンテナ３５２ａ乃至３５２ｒを装備することができる。
【００３８】
基地局１１０において、送信プロセッサ３２０は、データソース６１２からデータを及びコントローラ／プロセッサ３４０から制御情報を受信することができる。制御情報は、ＰＢＣＨ、ＰＣＦＩＣＨ、ＰＨＩＣＨ、ＰＤＣＣＨ、等を対象にすることができる。データは、ＰＤＳＣＨ、等を対象とすることができる。プロセッサ３２０は、データシンボル及び制御シンボルをそれぞれ入手するためにデータ及び制御情報を処理（例えば、符号化及びシンボルマッピング）することができる。プロセッサ３２０は、例えば、ＰＳＳ、ＳＳＳ、及び各々のセルごとの基準信号のための基準シンボルも生成することができる。送信（ＴＸ）多入力多出力（ＭＩＭＯ）プロセッサ３３０は、該当する場合は、データシンボル、制御シンボル、及び／又は基準シンボルに対する空間処理（例えば、プリコーディング）を行うことができ、及び、変調器（ＭＯＤ）３３２ａ乃至３３２ｔに対して出力シンボルストリームを提供することができる。各変調器３３２は、（例えば、ＯＦＤＭに関して）各々の出力シンボルストリームを処理して出力サンプルストリームを入手することができる。各変調器３３２は、出力サンプルストリームをさらに処理（例えば、アナログへの変換、増幅、フィルタリング、及びアップコンバージョン）し、ダウンリンク信号を入手することができる。変調器３３２ａ乃至３３２ｔからのダウンリンク信号は、アンテナ３３４ａ乃至３３４ｔをそれぞれ介して送信することができる。
【００３９】
ＵＥ１２０において、アンテナ３５２ａ乃至３５２ｒは、基地局１１０からダウンリンク信号を受信することができ及び受信された信号を復調器（ＤＥＭＯＤ）３５４ａ乃至３５４ｒにそれぞれ提供することができる。各復調器３５４は、各々の受信された信号をコンディショニング（例えば、フィルタリング、増幅、ダウンコンバージョン、及びデジタル化）して入力サンプルを入手することができる。各復調器３５４は、（例えば、ＯＦＤＭに関して）入力サンプルをさらに処理して受信されたシンボルを入手することができる。ＭＩＭＯ検出器３５６は、全復調器３５４ａ乃至３５４ｒから受信されたシンボルを入手し、該当する場合は受信されたシンボルにおいてＭＩＭＯ検出を行い、検出されたシンボルを提供することができる。受信プロセッサ３５８は、検出されたシンボルを処理（例えば、復調、デインターリービング、及び復号）し、ＵＥ１２０のための復号されたデータをデータシンク３６０に提供し、復号された制御情報をコントローラ／プロセッサ３８０に提供することができる。
【００４０】
アップリンクでは、ＵＥ１２０において、送信プロセッサ３６４は、データソース３６２から（例えば、ＰＵＳＣＨに関する）データを及びコントローラ／プロセッサ３８０から（例えば、ＰＵＣＣＨに関する）制御情報を受信及び処理することができる。プロセッサ３６４は、基準信号のための基準シンボルを生成することもできる。送信プロセッサ３６４からのシンボルは、該当する場合はＴＸ  ＭＩＭＯプロセッサ３６６によってプリコーディングし、（例えば、ＳＣ−ＦＤＭに関して）変調器３５４ａ乃至３５４ｒによってさらに処理し、基地局１１０に送信することができる。基地局１１０において、ＵＥ１２０からのアップリンク信号は、アンテナ３３４によって受信し、復調器３３２によって処理し、該当する場合はＭＩＭＯ検出器３３６によって検出し、受信プロセッサ３３８によってさらに処理して、ＵＥ１２０によって送信された復号されたデータ及び制御情報を入手することができる。プロセッサ３３８は、復号されたデータをデータシンク３３９に提供することができ及び復号された制御情報をコントローラ／プロセッサ３４０に提供することができる。
【００４１】
コントローラ／プロセッサ３４０及び３８０は、基地局１１０及びＵＥ１２０での動作をそれぞれ指示することができる。基地局１１０のプロセッサ３４０及び／又はその他のプロセッサ及びモジュールは、ここにおいて説明される技法のための様々なプロセスを実施すること又は実行を指示することができる。ＵＥ１２０のプロセッサ３８０及び／又はその他のプロセッサ及びモジュールは、図８及び９において例示された機能ブロック、及び／又はここにおいて説明される技法のためのその他のプロセスを実施すること又は実行を指示することもできる。メモリ３４２及び３８２は、基地局１１０及びＵＥ１２０のためのデータ及びプログラムコードをそれぞれ格納することができる。スケジューラ３４４は、ダウンリンク及び／又はアップリンクでのデータ送信のためにＵＥをスケジューリングすることができる。
【００４２】
一構成では、無線通信のためのＵＥ１２０は、ＵＥの接続モード中に干渉している基地局からの干渉を検出するための手段と、干渉している基地局の生成された（ｙｉｅｌｄｅｄ）リソースを選択するための手段と、生成されたリソースにおける物理ダウンリンク制御チャネルの誤り率を入手するための手段と、誤り率が予め決定されたレベルを超えることに応答して実行可能な、無線リンク障害を宣告するための手段と、を含む。一態様では、上記の手段は、上記の手段の機能を実施するように構成されたプロセッサ、コントローラ／プロセッサ３８０、メモリ３８２、受信プロセッサ３５８、ＭＩＭＯ検出器３５６、復調器３５４ａ、及びアンテナ３５２ａであることができる。他の態様では、上記の手段は、上記の手段の機能を実施するように構成されたモジュール又はいずれかの装置であることができる。
【００４３】
キャリアアグリゲーション
ＬＴＥ−Ａｄｖａｎｃｅｄ  ＵＥは、各方向への送信のために使用される合計１００ＭＨｚ（５つのコンポーネントキャリア（ｃｏｍｐｏｎｅｎｔ  ｃａｒｒｉｅｒ））までのキャリアアグリゲーションにおいて割り当てられた２０ＭＨｚ帯域幅のスペクトルを使用する。概して、ダウンリンクよりもアップリンクでのほうが少ないトラフィックが送信され、このため、アップリンクスペクトル割り当ては、ダウンリンク割り当てよりも小さいことができる。例えば、２０ＭＨｚがアップリンクに割り当てられる場合は、ダウンリンクには１００Ｍｈｚを割り当てることができる。これらの非対称的なＦＤＤ割り当ては、スペクトルを節約し、ブロードバンド加入者による典型的に非対称的な帯域幅の利用によく適する。
【００４４】
キャリアアグリゲーションタイプ
ＬＴＥ−Ａｄｖａｎｃｅｄモバイルシステムに関しては、２つのタイプのキャリアアグリゲーション（ＣＡ）法、連続的ＣＡ及び非連続的ＣＡ、が提案されている。それらは、図４Ａ及び４Ｂにおいて例示される。非連続的ＣＡ４５０は、図４Ｂに示されるように、複数の利用可能なコンポーネントキャリアが周波数帯域に沿って分離されるのが特徴である。他方、連続的ＣＡ４００は、図４Ａに示されるように、複数の利用可能なコンポーネントキャリアが互いに隣接するのが特徴である。非連続的ＣＡ４５０及び連続的ＣＡ４００の両方とも、複数のＬＴＥ／コンポーネントキャリアを束ねてＬＴＥ−Ａｄｖａｎｃｅｄ  ＵＥの単一のユニットにする。
【００４５】
搬送波は周波数帯域に沿って分離されるため、ＬＴＥ−Ａｄｖａｎｃｅｄ  ＵＥでは複数のＲＦ受信ユニット及び複数のＦＦＴを非連続的ＣＡによって配備することができる。非連続的ＣＡは、大きな周波数範囲にわたる複数の分離された搬送波でのデータ送信をサポートするため、伝播経路損失、ドップラーシフト及びその他の無線チャネル特性は、異なる周波数帯域ごとに大きく変化することがある。
【００４６】
従って、非連続的ＣＡ手法下でのブロードバンドデータ送信をサポートするためには、異なるコンポーネントキャリアに関してコーディング、変調及び送信電力を好適に調整するための方法を使用することができる。例えば、拡張ＮｏｄｅＢ（ｅＮＢ）が各コンポーネントキャリアにおいて固定された送信電力を有するＬＴＥ−Ａｄｖａｎｃｅｄシステムでは、有効なカバレッジ又は各コンポーネントキャリアのサポート可能な変調及びコーディングが異なることがある。
【００４７】
データアグリゲーション方式
図５は、Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ（ＩＭＴ−Ａｄｖａｎｃｅｄ）（国際移動電気通信−Ａｄｖａｎｃｅｄ）システムに関するメディアアクセス制御（ＭＡＣ）層５００で異なるコンポーネントキャリア５０２、５０４、５０６からの送信ブロック（ＴＢ）を束ねることを例示する。ＭＡＣ層データアグリゲーションでは、各コンポーネントキャリアは、ＭＡＣ層５００においてそれ自体の独立したハイブリッド自動再送要求（ＨＡＲＱ）エンティティを有し及び物理層においてそれ自体の送信構成パラメータ（例えば、送信電力、変調及びコーディング方式、及び多アンテナ構成）を有する。同様に、物理層５０８では、各コンポーネントキャリアに関して１つのＨＡＲＱエンティティが提供される。
【００４８】
制御シグナリング
概して、複数のコンポーネントキャリアに関する制御チャネルシグナリングを配備するために３つの異なる手法が存在する。第１は、各コンポーネントキャリアにそれ自体のコーディングされた制御チャネルが与えられるＬＴＥシステム内の制御構造の小さい修正を含む。
【００４９】
第２の方法は、異なるコンポーネントキャリアの制御チャネルをまとめてコーディングすることと、専用コンポーネントキャリア内に制御チャネルを配備することと、を含む。複数のコンポーネントキャリアに関する制御情報は、この専用制御チャネル内においてシグナリングコンテンツとして統合される。その結果、ＬＴＥシステム内での制御チャネル構造との後方互換性が維持され、その一方で、ＣＡでのシグナリングオーバーヘッドが低減される。
【００５０】
異なるコンポーネントキャリアに関する複数の制御チャネルがまとめてコーディングされ、第３のＣＡ法によって形成された周波数帯域全体にわたって送信される。この手法は、ＵＥ側での高い電力消費を犠牲にする形で、制御チャネルでの低いシグナリングオーバーヘッド及び高い復号性能を提供する。しかしながら、この方法は、ＬＴＥシステムとは適合性がない。
【００５１】
ハンドオーバー制御
ＩＭＴ−Ａｄｖａｎｃｅｄ  ＵＥのためにＣＡが使用されるときには複数のセル間でハンドオーバー手順中に送信の連続性をサポートするのが好ましい。しかしながら、特定のＣＡ構成及びサービス品質（ＱｏＳ）要求を有する、入ってくるＵＥのために十分なシステムリソース（例えば、優れた送信品質を有するコンポーネントキャリア）を予約することは、次のｅＮＢにとっての難題になるおそれがある。その理由は、２つの（又はそれよりも多い）隣接セル（ｅＮＢ）のチャネル状態が特定のＵＥに関して異なることがあるためである。一手法においては、ＵＥは、各隣接セル内の１つだけのコンポーネントキャリアの性能を測定する。これは、ＬＴＥシステムの場合と同様の測定遅延、複雑さ、及びエネルギー消費をもたらす。対象となる近隣セル内のその他のコンポーネントキャリアの性能の推定は、その１つのコンポーネントキャリアの測定結果に基づくことができる。この推定に基づいて、ハンドオーバー判断及び送信構成を決定することができる。
【００５２】
単一周波数ネットワークでのｅＭＢＭＳ及びユニキャストシグナリング
マルチメディアに関する高帯域幅通信を容易にするための１つのメカニズムは、単一周波数ネットワーク（ＳＦＮ）動作となっている。特に、例えば、いわゆる最近ＬＴＥの関係におけるマルチメディアブロードキャスト単一周波数ネットワーク（ＭＢＳＦＮ）として知られるようになってきているものを含むマルチメディアブロードキャストマルチキャストサービス（ＭＢＭＳ）及びＬＴＥ用ＭＢＭＳは、エボルブドＭＢＭＳ（ｅＭＢＭＳ）とも呼ばれ、該ＳＦＮ動作を利用することができる。ＳＦＮは、加入者ＵＥと通信するために無線送信機、例えば、ｅＮＢ、を利用する。ｅＮＢのグループは、両方向情報を同期化された形で送信することができ、このため、信号は、互いに干渉するのではなくむしろ互いに補強する。ｅＭＢＭＳの関係では、ＬＴＥネットワークから複数のＵＥに共有コンテンツを送信するための単一搬送波の最適化が引き続き必要である。
【００５３】
本開示の主題の態様により、ｅＭＢＭＳに関する単一搬送波最適化に関連する特徴を有する無線ネットワーク（例えば、３ＧＰＰネットワーク）が提供される。エボルブドＭＢＭＳは、ＬＴＥネットワークから複数のモバイルエンティティ、例えば、ＵＥ、に共有コンテンツを送信するための効率的な方法を提供する。
【００５４】
ＬＴＥ  ＦＤＤに関するｅＭＢＭＳの物理層（ＰＨＹ）に関して、チャネル構造は、混合搬送波でのｅＭＢＭＳ送信とユニキャスト送信との間での時分割多重化（ＴＤＭ）リソース分割を備えることができ、それにより柔軟でダイナミックなスペクトルの利用を可能にする。ここにおいて使用される場合の“混合搬送波”は、ｅＭＢＭＳ及びユニキャストシグナリングの両方のために使用される搬送波を意味する。現在は、マルチメディアブロードキャスト単一搬送波ネットワーク（ＭＢＳＦＮ）サブフレームと呼ばれるサブフレームの部分組（最大６０％）を、混合搬送波でのｅＭＢＭＳ送信のために予約することができる。従って、現在のｅＭＢＭＳ設計は、ｅＭＢＭＳに関して１０のサブフレームのうちの多くて６つを可能にする。
【００５５】
ｅＭＢＭＳに関するサブフレーム割り当て例が図６Ａに示され、それは、単一搬送波の場合のＭＢＳＦＮサブフレームでのＭＢＳＦＮ基準信号の既存の割り当てを示す。図６Ａにおいて描かれるコンポーネントは、図２において示されるそれらに対応し、図６Ａは、各々のスロット及びリソースブロック（ＲＢ）内の個々の副搬送波を示す。３ＧＰＰ  ＬＴＥでは、ＲＢは、０．５ｍｓのスロット継続時間において１２の副搬送波にまたがり、各副搬送波は、１５ｋＨｚの帯域幅を有し、全体ではＲＢ当たり１８０ｋＨｚにまたがる。ユニキャスト又はｅＭＢＭＳのためにサブフレームを割り当てることができ、例えば、０、１、２、３、４、５、６、７、８、及び９のラベルが付されたサブフレームのシーケンス６００では、サブフレーム０、４、５、及び９をＦＤＤにおけるｅＭＢＭＳから除外することができる。さらに、時分割複信（ＴＤＤ）ではサブフレーム０、１、５、及び６をｅＭＢＭＳから除外することができる。より具体的には、サブフレーム０、４、５、及び９は、ＰＳＳ／ＳＳＳ／ＰＢＣＨ／ページング／システム情報ブロック（ＳＩＢ）及びユニキャストサービスのために使用することができる。シーケンス内の残りのサブフレーム、例えば、サブフレーム１、２、３、６、７及び８は、ｅＭＢＭＳサブフレームとして構成することができる。
【００５６】
図６Ａを引き続き参照し、各ｅＭＢＭＳサブフレーム６０２内において、最初の１つ又は２つのシンボルは、ユニキャスト基準シンボル（ＲＳ）及び制御シグナリングのために使用することができる。最初の１つ又は２つのシンボルのＣＰ長は、サブフレーム０のそれに続くことができる。ＣＰ長が異なる場合は最初の１つ又は２つのシンボルとｅＭＢＭＳシンボルとの間で送信ギャップが生じることがある。関連する態様では、全体的なｅＭＢＭＳ帯域幅の利用は、ＲＳオーバーヘッドを考慮した場合は４２．５％であることができる（例えば、６つのｅＭＢＭＳサブフレーム及び各々のｅＭＢＭＳサブフレーム内で２つの制御シンボル）。ＭＢＳＦＮ  ＲＳ及びユニキャストＲＳを提供するための既知の技法は、典型的には、（図６Ａに示されように）ＭＢＳＦＮサブフレームでＭＢＳＦＮ  ＲＳを割り当てることと、非ＭＢＳＦＮサブフレームでユニキャストＲＳを別個に割り当てることと、を含む。より具体的には、図６Ａが示すように、ＭＢＳＦＮサブフレームの拡張されたＣＰは、ＭＢＳＦＮ  ＲＳを含み、ユニキャストＲＳを含まない。さらなる関連する態様では、図６Ｂの実施形態において例示されるように、ユニキャストＲＳは、非ｅＭＢＭＳサブフレームに存在することができ、それは、非ＭＢＳＦＮサブフレーム６５２、６５４でのユニキャスト基準信号の既存の割り当てを示す。図６Ｂが示すように、非ＭＢＳＦＮサブフレーム６５２、６５４の通常のＣＰ６５２及び／又は拡張ＣＰ６５４は、ユニキャストＲＳ（Ｒ０、Ｒ１、Ｒ２、Ｒ３）を含み、ＭＢＳＦＮ  ＲＳ（Ｒ４）は含まない。
【００５７】
キャリアアグリゲーションに関するｅＭＢＭＳエンハンスメント
上記のように、異なるコンポーネントキャリアのためのコーディング、変調及び送信電力は異なることができる。これらの及びその他の相違は、図７を参照して後述されるように、ｅＭＢＭＳ性能を向上させるために使用することができ、複数の搬送波を利用可能である。図７に示されるテーブル７００に関する行（ｒｏｗ）ラベル内でわかるように、複数の搬送波のうちの１つは、アンカー搬送波として指定される。アンカー搬送波は、“プライマリ搬送波”と呼ばれることもある。追加の搬送波は、搬送波２乃至‘Ｎ’のラベルが付され、例えば、搬送波２、３、４、等である。以下の説明は、一例としてのアンカー搬送波及び第２の搬送波に関する説明であり、ＵＥへの送信に関して３つ以上の搬送波の使用を制限するものではない。ｅＭＢＭＳに関する追加の搬送波は、第２の（すなわち、非アンカー）搬送波に関して説明されるように構成することができる。
【００５８】
アンカー搬送波は、上述されるように、ＰＳＳ、ＳＳＳ、ＰＢＣＨ及びページングシグナリングを搬送することが特徴である。フレーム割り当て７０２は、アンカー搬送波及び第２の搬送波に関して様々に構成することができる。一実施形態７０２ａでは、アンカー搬送波は、ユニキャストシグナリング専用に構成することができ、他方、第２の搬送波は、ｅＭＢＭＳシグナリング専用に構成される。ユニキャストシグナリング専用に構成することは、ｅＭＢＭＳシグナリングのために搬送波のいずれのサブフレームも割り当てないことを含む。ｅＭＢＭＳシグナリング専用に構成することは、ユニキャストシグナリングのために搬送波のいずれのサブフレームも割り当てないことを含む。従って、例えば、第２の搬送波は、０／４／５／９及び０／１／５／６サブフレームがユニキャストシグナリングのために割り当てられずにｅＭＢＭＳシグナリングのために使用することができる。他の実施形態７０２ｂでは、アンカー搬送波は、前節で説明されるように、ユニキャストシグナリング及びｅＭＢＭＳシグナリングの両方のために割り当てられ、他方、第２の搬送波は、ｅＭＢＭＳシグナリング専用に割り当てられる。さらに他の実施形態７０２ｃでは、アンカー搬送波及び第２の搬送波の両方が、ユニキャストシグナリング及びｅＭＢＭＳシグナリングの両方のために割り当てられる。
【００５９】
搬送波の全サブフレームがｅＭＢＭＳシグナリングのために割り当てられる実施形態では、ユニキャストシグナリングのために制御シンボルを予約する必要がない。ユニキャストシグナリングは、アンカー搬送波で搬送することができ、クロスキャリアアップリンクグラント（ｇｒａｎｔ）及びアップリンク送信のためのＰＣＩＣＨ（存在する場合）は、ｅＭＢＭＳシグナリング専用の搬送波で搬送される。この結果、ｅＭＢＭＳサブフレームに関するオーバーヘッドが低下する。さらに、搬送波の全サブフレームがｅＭＢＭＳシグナリングのために割り当てられる実施形態ではより良いチャネル推定を達成することができる。チャネル推定では、ｅＭＢＭＳ基準信号を有するすべてのサブフレームが隣接しているため、近隣のｅＭＢＭＳサブフレームからのｅＭＢＭＳ基準信号を使用してより高い処理利得を得ることができる。
【００６０】
様々なフレーム割り当てに加えて、リンクサービス７０４をアンカー搬送波及び第２の搬送波に関して異なった形で構成することができる。一実施形態７０４ａでは、アンカー搬送波は、アップリンク（ＵＬ）及びダウンリンク（ＤＬ）の両方に関して構成され、他方、第２の搬送波は、ダウンリンクシグナリングのみのために構成される。代替実施形態７０４ｂでは、アンカー搬送波及び第２の搬送波の両方がアップリンクシグナリング及びダウンリンクシグナリングの両方のために構成される。ｅＭＢＭＳ搬送波でのアップリンクシグナリングは、様々なブロードキャストエンハンスメント、例えば、対話形式の特徴、のために使用可能であることに注目すること。
【００６１】
様々なフレーム割り当て及びリンクサービスに加えて、ＴＤＤ送信プロトコル７０６が使用される場合は、それは、アンカー搬送波及び第２の搬送波に関して異なった形で構成することができる。一実施形態７０６ａでは、ＴＤＤプロトコルは、アンカー搬送波と第２の搬送波において同じように構成することができる。代替実施形態７０６ｂでは、ｅＭＢＭＳ専用の第２の搬送波内のＴＤＤプロトコルは、ｅＭＢＭＳ容量を向上させるために、ダウンリンクをより重視した構成で構成され、すなわち、ダウンリンクのほうがより多くのサブフレームが割り当てられる。
【００６２】
ＲＥＬ．１０に基づく混合搬送波構成
ここではＲｅｌｅａｓｅ１０とも呼ばれる３ＧＰＰ  ＬＴＥ  Ｒｅｌｅａｓｅ１０では、次のように構成を用いてシステム容量を向上させるためにキャリアアグリゲーションが導入されている。すべてのコンポーネントキャリアがＲｅｌｅａｓｅ８と互換性があり、このため、旧ＵＥはすべてのコンポーネントキャリアを受信することができる。混合コンポーネントキャリア、すなわち、ユニキャストシグナリングとマルチキャストシグナリングの混合を使用した搬送波、は、Ｒｅｌｅａｓｅ１０のみにおいてサポートされる。逆に、Ｒｅｌｅａｓｅ１０は、ｅＭＢＭＳシグナリング専用の搬送波はサポートしない。ｅＭＢＭＳシグナリング専用の搬送波は、ここでは、専用ｅＭＢＭＳ搬送波又は専用コンポーネント搬送波と時々呼ばれる。
【００６３】
ＲＲＣ＿ＩＤＬＥ状態にあるときには、モバイルエンティティは、ここではアンカー搬送波と時々呼ばれるプライマリ搬送波に留まることができる。ＲＲＣ＿ＣＯＮＮＥＣＴＥＤ状態にあるときには、モバイルエンティティは、プライマリ搬送波でクロスキャリアシグナリングを使用することによって、セカンダリ（すなわち、非プライマリ）搬送波に関するシステム情報を取得することができる。例えば、Ｒｅｌｅａｓｅ１０では、セカンダリ搬送波のためのシステム情報は、プライマリ搬送波内の専用のクロスキャリアシグナリングによって搬送される。モバイルエンティティは、典型的には、セカンダリ搬送波内のいずれのシステム情報ブロック（ＳＩＢ）情報もモニタリングしない。
【００６４】
従って、セカンダリ搬送波に関するＭＢＭＳパラメータを取得するためには、各モバイルエンティティは、セカンダリ搬送波に関するシステム情報を入手するために必要な専用制御信号（例えば、ＲＲＣＣｏｎｎｅｃｔｉｏｎＲｅｃｏｎｆｉｇｕｒａｔｉｏｎメッセージ）を受信するためにプライマリ搬送波上で接続された状態を維持する必要がある。Ｒｅｌｅａｓｅ１０では、セカンダリ搬送波は、ＭＢＳＦＮサブフレーム構成リストしか含まず、それは、セカンダリ搬送波のＭＢＳＦＮサブフレーム割り当てを識別することに限定される。ＭＢＳＦＮサブフレーム割り当てに関する情報は、セカンダリ搬送波上のＭＢＳＦＮ情報にアクセスする上では十分でない。従って、セカンダリ搬送波上のＭＢＳＦＮ情報にアクセスするためにはプライマリ搬送波への接続が要求されることがある。例えば、ＳＩＢ１３に存在するマルチキャスト制御チャネル（ＭＣＣＨ）を取得するためのパラメータは、セカンダリ搬送波では入手できない。ＳＩＢ１３は、３ＧＰＰ２  Ｔ．Ｓ．  ３６．３３１においてより詳細に記述されるとおりであることができる。従って、ＲＲＣ＿ＩＤＬＥモバイルエンティティは、本来は複数の搬送波でのＭＢＭＳをサポートすることが可能な場合でも、プライマリ搬送波のみでＭＢＳＦＮサービスを受信することができる。ユニキャストサービスを使用しないときにはＵＥをＲＲＣ＿ＩＤＬＥ状態に維持することはモバイルエンティティにとって及び無線システムにとって有利であるため、Ｒｅｌ１０のこれらの制限は不利になることがある。
【００６５】
例えば、プライマリ搬送波は、各ＵＥ専用であり、逆に、異なるＵＥが異なるプライマリ搬送波を使用することができる。さらに、特定の搬送波でのｅＭＢＭＳサービスは典型的には各々の搬送波専用であるため、特定のサービスはすべてのプライマリ搬送波で入手可能であるわけではない。従って、ＲＲＣ＿ＩＤＬＥ状態にあるモバイルエンティティは、そのモバイルエンティティがＲＲＣ＿ＣＯＮＮＥＣＴＥＤ状態を維持していないかぎり、対象となる特定のｅＭＢＭＳサービスは受信することができない。代替においては、モバイルエンティティは、対象となるｅＭＢＭＳサービスを送信している搬送波を突き止めるためにすべての利用可能なプライマリ搬送波を走査し、その搬送波に留まる。いずれの手法も、システムリソースの非効率的な使用及び希望されるｅＭＢＭＳサービスにアクセスする上での不良な応答性に結びつく可能性がある。さらに、モバイルエンティティは、接続された状態にあるときでも、プライマリ搬送波によってブロードキャストされるＳＩＢ１３内では、セカンダリ搬送波で対象となるｅＭＢＭＳサービスに関する情報を入手できないことがある。
【００６６】
ＭＢＭＳパラメータの改良された取得
上記の欠点を克服するために、以下において説明される構成変更を実装することができる。ＲＲＣ＿ＣＯＮＮＥＣＴＥＤモバイルエンティティに関する１つの代替策により、利用可能なセカンダリ搬送波のためのＳＩＢ１３情報は、プライマリ搬送波でネットワークエンティティから送信される専用制御信号（例えば、ＲＲＣＣｏｎｎｅｃｔｉｏｎＲｅｃｏｎｆｉｇｕｒａｔｉｏｎメッセージ）に含めることができる。ＵＥは、それにより、プライマリ搬送波からのセカンダリ搬送波に関するＭＢＭＳ情報を使用するためのあらゆる必要なシステム情報を入手することができる。それ以上の制御取得活動は要求されず、このため、ＵＥの動作が簡略化され、ＭＢＭＳ情報に関する取得時間を短縮することができる。
【００６７】
ＲＲＣ_ＩＤＬＥモバイルエンティティに関する代替により、セカンダリ搬送波のためのＭＢＭＳパラメータは、専用制御シグナリングを使用する代わりに（又は使用することに加えて）プライマリ搬送波で共通制御シグナリング（例えば、ブロードキャスト制御チャネル（ＢＣＣＨ））を用いて搬送される。これを行うための一方法は、１つ以上のセカンダリ搬送波のためのＳＩＢ１３情報を含めるためにプライマリ搬送波のＳＩＢ１３を拡張することであることができる。代替においては、セカンダリ搬送波のためのｅＭＢＭＳ関連パラメータを搬送するために新しいＳＩＢをプライマリ搬送波において導入することができる。Ｒｅｌｅａｓｅ１０では最大で３２の異なるＳＩＢが許容されており、現在は１３が定義され、１９を利用可能であることに注目すること。新しいＳＩＢは、例えば、上記において要約されるように、ｅＭＢＭＳエンハンスメント（例えば、サービスの継続性）のための追加のｅＭＢＭＳパラメータを含むことができる。
【００６８】
モバイルの観点からは、ＵＥは、プライマリ搬送波でのＢＣＣＨシグナリングからセカンダリ搬送波でのＭＢＭＳサービスにアクセスするために必要な全情報を入手する。従って、（マルチキャストトラフィックチャネル（ＭＴＣＨ）を復号するために必要な）ＭＣＣＨ変更をシグナリングするための物理ダウンリンク制御チャネル（ＰＤＣＣＨ）は、プライマリ搬送波又はセカンダリ搬送波で送信することができる。これは、ＵＥがＲＲＣ_ＣＯＮＮＥＣＴＥＤ状態に留まる必要性又は特定のＭＢＭＳサービスへの関心をネットワークエンティティに報告する必要性をなくす。従って、ＲＲＣ_ＩＤＬＥモバイルエンティティは、まさにＲＲＣ_ＣＯＮＮＥＣＴＥＤモバイルと同じように簡単に、あらゆる利用可能なセカンダリ搬送波でＭＢＭＳサービスを受信することができる。
【００６９】
後方互換性を向上させるために、次の措置を講じることができる。旧モバイルエンティティに関しては、Ｒｅｌｅａｓｅ１０において現在規定されるように、プライマリ搬送波での専用シグナリングを維持することができる。従って、旧ＵＥは、上記の欠点を有することを条件として、専用シグナリングを用いて利用可能な後方互換可能なセカンダリ搬送波のすべてのシステム情報を入手することができる。１つ以上のセカンダリ搬送波が後方互換可能でないことが企図される。後方互換不能なセカンダリ搬送波に関しては、上記において開示されるプライマリ搬送波での共通のシグナリングを採用することができる。
【００７０】
マルチキャスト制御チャネルの向上
現在は、ＭＣＣＨ変更の通知をモバイルエンティティに提供するために使用されるＰＤＣＣＨと同じように、各搬送波でのＭＣＣＨが別々に送信される。一態様では、全搬送波に関するＭＣＣＨをひとつに束ねてプライマリ搬送波のみで送信することができる。同様に、ＭＣＣＨ変更の通知を提供するＰＤＣＣＨも全搬送波に関してひとつに束ねてプライマリ搬送波のみで送信することができる。従って、ＵＥは、もはや、セカンダリ搬送波でのＰＤＣＣＨをモニタリングする必要がない。その代わりに、ＵＥは、プライマリ搬送波のみでのＭＣＣＨ変更に関してＰＤＣＣＨをモニタリングし、プライマリ搬送波からＭＣＣＨを取得する。ＵＥが特定のセカンダリ搬送波でＭＢＭＳサービス又は関心を突き止めた場合は、ＵＥは、そのセカンダリ搬送波に同調する。関心の対象となるｅＭＢＭＳサービスがセカンダリ搬送波に存在しない場合は、ＵＥは、その搬送波をモニタリングする必要がない。しかしながら、プライマリ搬送波でのＭＣＣＨ及びＰＤＣＣＨオーバーヘッドの増大が結果的に生じることがある。増大されたオーバーヘッドよりも、上述されるように、セカンダリ搬送波におけるＰＤＣＣＨをモニタリングする必要性を排除してプライマリ搬送波での全搬送波に関するＭＣＣＨの取得を可能にする利点のほうが重要であることができる。
【００７１】
ＵＥのウェイクアップ時間を短縮するために、ＭＣＣＨ変更通知がユニキャストサブフレームにではなくＭＢＳＦＮサブフレームに割り当てられるようにＰＤＣＣＨを構成することができる。
【００７２】
カウンティング応答メッセージ
ＭＣＣＨ情報がプライマリ搬送波で束ねられる範囲で、ＭＣＣＨメッセージであるカウンティング応答メッセージがＭＣＣＨに後続する。カウンティング応答メッセージを報告するためにＵＥによって以下の任意選択肢を使用することができる。第１の任意選択肢では、ＵＥは、アップリンクプライマリ搬送波でカウンティング応答メッセージを報告する。第２の任意選択肢では、ＵＥは、対象となるＭＢＭＳサービスが入手可能であるダウンリンク搬送波と関連付けられたアップリンク搬送波でカウンティング応答メッセージを報告する。この関連付けられたアップリンク搬送波は、プライマリ搬送波と異なることができる。
【００７３】
セカンダリ搬送波での増大されたＭＢＳＦＮ割り当て
セカンダリ搬送波で後方互換性を維持する必要がない範囲で、ＭＢＳＦＮシグナリングのために使用されるサブフレームの量を増大させるようにセカンダリ搬送波でのサブフレーム割り当てを構成することができる。後方互換可能な搬送波では、周波数分割複信（ＦＤＤ）プロトコルでは最大６０％のサブフレームをＭＢＳＦＮに割り当てることができる。残りのサブフレームは、一次同期信号（ＰＳＳ）、二次同期信号（ＳＳＳ）、物理ブロードキャストチャネル（ＰＢＣＨ）、ページング、及びＳＩＢのために割り当てることができる。ＰＳＳ及びＳＳＳは、サブフレーム０及び５で送信され、他方、ＰＢＣＨは、サブフレーム０で送信される。ページングは、サブフレーム０、４、５及び９で送信することができ、従って、これらのサブフレームは、ＭＢＳＦＮ信号のためには利用できない。
【００７４】
ＦＤＤにおけるＭＢＳＦＮシグナリングのためのサブフレーム割り当てを増大させるために、サブフレーム５の最後の２つのシンボルがＰＳＳ／ＳＳＳシンボルのために予約されていることを条件として、奇数の無線フレーム内のサブフレーム５を物理マルチキャストチャネル（ＰＭＣＨ）のために割り当てることができる。偶数の無線フレーム内のサブフレーム５は、ＰＳＳ／ＳＳＳ及びＳＩＢ１信号のために引き続き利用することができる。偶数の無線フレーム、奇数の無線フレーム、又は両方におけるサブフレーム４及び９は、ＳＩＢ情報およびページングが偶数の無線フレーム内のサブフレーム０又はサブフレーム５においてスケジューリングされることを条件として、ＭＢＳＦＮ信号に割り当てることができる。これらの構成変更を行うことによって、最大で約８５％のＭＢＳＦＮ信号への割り当てを達成することができる。偶数の無線フレーム内のサブフレーム０及び５は、非ＭＢＳＦＮ用に引き続き利用可能である。
【００７５】
同様に、後方互換可能な搬送波に関する時分割複信（ＴＤＤ）プロトコルでは、サブフレーム０、１、５及び６がＰＳＳ、ＳＳＳ、ＰＢＣＨ、ページング及びＳＩＢ情報に割り当てられているため、最大で６０％のサブフレームをＭＢＳＦＮに割り当てることができる。ＴＤＤにおけるＭＢＳＦＮシグナリングのためのサブフレーム割り当てを増大させるために、サブフレーム５の最後のシンボルがＳＳＳシンボルのために予約されていることを条件として、奇数の無線フレーム内のサブフレーム５をＰＭＣＨのために割り当てることができる。偶数の無線フレーム内のサブフレーム５は、ページング及びＳＩＢ信号に引き続き割り当てることができる。偶数の無線フレーム、奇数の無線フレーム、又は両方におけるサブフレーム１及び６は、最初の３つのシンボルがＰＳＳ及びユニキャスト制御シグナリングのために予約されていることを条件として、ＭＢＳＦＮ信号に割り当てることができる。これらの構成変更を行うことによって、最大で約８５％のＭＢＳＦＮ信号への割り当てを達成することができる。偶数の無線フレーム内のサブフレーム０及び５は、非ＭＢＳＦＮ用に引き続き利用可能である。
【００７６】
専用ｅＭＢＭＳ搬送波のためのその他のエンハンスメント
専用ｅＭＢＭＳ搬送波はＲｅｌ１０ではサポートされていないが、将来のリリースでは、専用ｅＭＢＭＳセカンダリ搬送波をプライマリ搬送波と束ねることができるであろう。該事例では、専用ｅＭＢＭＳ搬送波は、１５ＫＨｚ搬送波間隔を有する１６．６７μｓのＣＰ長を使用することができる。専用搬送波の無線フレーム内の全サブフレームをＭＢＳＦＮに割り当てることができる。ＭＢＳＦＮサブフレーム内の制御シンボルは、ＭＢＳＦＮ専用であるすべての制御シンボルと互換可能であるＭＢＳＦＮ  ＲＳパターンに合わせて適宜調整することで取り除くことができる。セカンダリ搬送波は、ＭＢＳＦＮサービス専用である必要はなく、その代わりに、セカンダリ搬送波は、特定のエリアでのＭＢＳＦＮサービス要求に基づいて、全体又は一部をユニキャストサービスに割り当てることができる。
【００７７】
セカンダリ搬送波がｅＭＢＭＳ専用であるときには、ダウンリンク取得信号（例えば、ＰＳＳ／ＳＳＳ又はＰＢＣＨ）をセカンダリ搬送波で送信する必要がない。同様に、ＳＩＢ、ページング、又は物理ダウンリンク共有チャネル（ＰＤＳＣＨ）に関しては専用搬送波を使用する必要がない。その代わりに、幾つかのｅＭＢＭＳパラメータをプライマリ搬送波に割り当てることができる。上記のように、プライマリ搬送波内のＳＩＢ１３は、セカンダリ搬送波のための情報を含めるために拡張することができる。代替においては、新しいＳＩＢは、対象となるＵＥのみがその新しいＳＩＢ（例えば、ＳＩＢ１４）で搬送されるセカンダリ搬送波のためのｅＭＢＭＳ情報を取得する必要があるように導入することができる。プライマリ搬送波のＰＤＣＣＨは、ＭＣＣＨ変更をＵＥに通知するために使用することができる。
【００７８】
専用搬送波のＭＢＳＦＮサブフレーム内の制御シンボルを取り除くことは、ダウンリンク専用スペクトル、例えば、順方向リンク専用（ＦＬＯ）スペクトル、に関して追加のリンク効率を提供する。専用搬送波でのユニキャスト送信をサポートするためにプライマリ搬送波又はその他のセカンダリ搬送波からのクロスキャリアシグナリングを使用することができる。
【００７９】
同時のユニキャスト及びｅＭＢＭＳ又はマルチキャリアの受信をサポートしないモバイルエンティティは、ＭＢＭＳシステムパラメータを取得するためにプライマリ搬送波に同調し、次にｅＭＢＭＳシグナリングのためにセカンダリ搬送波に切り換わることができる。
【００８０】
上記の変形に加えて、アンカー搬送波及び第２の搬送波のために使用されるネットワーク７０８は、様々な方法で構成することができる。一実施形態７０８ａでは、両方の搬送波に関して同じネットワーク又はネットワーク（複数）を使用することができる。代替実施形態７０８ｂでは、異なるネットワークが共存することができ及び異なる搬送波を送信するために使用することができる。特に、ｅＭＢＭＳ搬送波、例えば、第２の搬送波、を送信するために利用可能なネットワークのうちのより高い電力のそれを使用することができる。例えば、ピコセルネットワークは、セル間調整のためにＸ２インタフェースを介してＭＢＳＦＮ／ｅＭＢＭＳを送信するように制御することができ、他方、フェムトセルネットワークは、Ｘ２調整なしにアンカー搬送波でユニキャストデータを送信するように制御することができる。異なる伝播時間に起因して、異なるネットワークは異なる遅延スプレッド（ｄｅｌａｙ  ｓｐｒｅａｄ）を経験することがある。例えば、第１のネットワークは、それの遅延スプレッドに起因して１６．６７μｓのＣＰを要求することがあり、他方、第２のネットワークは、それよりも長い３３．３３μｓのＣＰを要求することがある。従って、サイクリックプリフィックス７１０も様々な方法で構成することができる。一実施形態７１０ａでは、アンカー搬送波及び第２の搬送波の両方が、異なるネットワークのうちの最長のＣＰを有するＣＰタイプ（例えば、“タイプ１”）を使用することができる。代替実施形態７１０ｂでは、アンカー搬送波は、第２のＣＰタイプ（“タイプ２”）、例えば、長いＣＰ（１６．６７μｓ）タイプ、を用いてネットワーク上でユニキャストシグナリング及びｅＭＢＭＳシグナリングを送信することができる。第２の搬送波は、第２のＣＰタイプと異なる第１のＣＰタイプ、例えば、より長いＣＰ（３３．３３μｓ）タイプ、を用いてｅＭＢＭＳシグナリングを送信することができる。
【００８１】
方法及び装置例
ここにおいて示されて説明される典型的なシステムに鑑みて、開示される主題により実装することができる方法は、様々なフローチャートを参照することでより良く評価されるであろう。説明の簡略化を目的として、方法は一連の行為／ブロックとして示されて説明される一方で、幾つかのブロックは、ここにおいて描かれて説明されるその他のブロックと異なる順序で及び／又はその他のブロックと実質的に同時に生じることができるため、ブロックの数又は順序には制限されないことが理解及び評価されるべきである。さらに、すべての例示されるブロックがここにおいて説明される方法を実装するために要求されるわけではない。ブロックと関連付けられた機能は、ソフトウェア、ハードウェア、それらの組み合わせ又はその他の適切な手段（例えば、デバイス、システム、プロセス、又はコンポーネント）によって実装できることが評価されるべきである。さらに、この明細書全体を通じて開示される方法は、該方法を様々なデバイスにトランスポート及び転送するのを容易にするために符号化された命令及び／又はデータとして製造品に格納可能であることがさらに評価されるべきである。方法は、例えば状態図内におけるように一連の相互に関連する状態又はイベントとして代替で表すことが可能であることを当業者は理解及び評価するであろう。
【００８２】
図８は、無線通信システムの少なくとも１つのネットワークエンティティを用いて無線通信システムの複数の搬送波を用いて単一周波数ネットワーク（ＭＢＳＦＮ）サービスでのエボルブドマルチメディアブロードキャスト／マルチキャストサービス（ＭＢＭＳ）を送信するための方法８００を示す。ネットワークエンティティは、無線通信ネットワークのｅＮＢ、又はその他の基地局（例えば、ホームノードＢ、等）であることができる。方法８００は、８１０において、ネットワークエンティティが１つ以上のモバイルエンティティにセカンダリ搬送波でＭＢＳＦＮ信号を送信することを含むことができる。モバイルエンティティは、各々が、無線通信システムの加入者と関連付けられたＵＥであることができる。方法８００は、８２０において、ネットワークエンティティがプライマリ搬送波で基地局からマルチキャスト制御チャネル（ＭＣＣＨ）を取得するために使用される情報を送信することをさらに含み、基地局は、プライマリ搬送波で少なくともユニキャストシグナリングも送信する。すべての説明される送信は、ここにおいて説明される１つ以上のプロトコルにより無線で行われる。
【００８３】
図９乃至１１は、複数の搬送波を用いてｅＭＢＭＳサービスを送信するために方法８００と関係してソース基地局によって実施することができるさらなる任意選択の動作又は態様９００、１０００、及び１１００を示す。図９乃至１１に示される動作は、方法８００を実施するためには要求されない。動作９００、１０００、及び１１００は、独立して実施することができ及び互いに排他的ではない。従って、該動作うちのいずれの１つも、他の下流又は上流の動作が実施されるかどうかにかかわらず実施することができる。方法８００が図９乃至１１の少なくとも１つの動作を含む場合は、方法８００は、その少なくとも１つの動作の後に終了することができ、例示されることがあるいずれの後続する下流の動作も必ずしも含める必要はない。
【００８４】
図９を参照し、方法８００は、９１０において、基地局が無線リソース制御（ＲＲＣ）接続されたモバイルエンティティに関する専用シグナリングにおいてＭＣＣＨを取得するための情報を含めることをさらに含むことができる。方法８００は、９２０において、基地局がＭＣＣＨ内にＭＢＳＦＮ信号を復号するための情報を含めることをさらに含むことができる。方法８００は、９３０において、セカンダリ搬送波のすべてのサブフレームをＭＢＳＦＮ信号に割り当てることをさらに含むことができる。
【００８５】
図１０を参照し、方法８００は、１０１０において、基地局がｅＭＢＭＳ信号を搬送する１つ以上の後方互換可能な搬送波に関してプライマリ搬送波での専用シグナリングにおいてＭＣＣＨを取得するための情報を含めること、他方、ｅＭＢＭＳシグナリングを搬送する１つ以上の後方互換不能な搬送波に関してプライマリ搬送波での共通シグナリングにおいてＭＣＣＨを取得するための情報を含めることをさらに含むことができる。方法８１０は、１０２０において、共通シグナリングがプライマリ搬送波でのＢＣＣＨを通じてのシグナリングを備えることをさらに含むことができる。
【００８６】
他の態様では、方法８００は、図１１に示される動作１１００をさらに含むことができる。具体的には、方法８００は、１１１０において、基地局がプライマリ搬送波の１つ以上のＳＩＢにおいてＭＣＣＨを取得するための情報の少なくとも一部分を含めることをさらに含むことができる。例えば、基地局は、プライマリ搬送波のＳＩＢ１３においてＭＣＣＨを取得するための情報の少なくとも一部分を含めることができる。基地局は、異なるＳＩＢ、例えば、ＳＩＢ３、内に、又は１３よりも大きい番号が付された新しいＳＩＢ、例えば、ＳＩＢ１４、内に情報の異なる部分を含めることができる。代替においては、又はさらなる追加で、方法８００は、１１２０において、基地局がプライマリ搬送波のＳＩＢにおいて、例えば、プライマリ搬送波のＳＩＢ１３において、ＭＣＣＨを取得するための情報を全部含めることを含むことができる。
【００８７】
図１２を参照し、ｅＭＢＭＳを提供するために、無線ネットワーク内のネットワークエンティティとして、又は、そのネットワークエンティティ内で使用するためのプロセッサ又は同様のデバイスとして、構成することができる典型的な装置１２００が提供される。装置１２００は、プロセッサ、ソフトウェア、又はそれらの組み合わせ（例えば、ファームウェア）によって実装された機能を表すことができる機能ブロックを含むことができる。
【００８８】
例示されるように、一実施形態では、装置１２００は、セカンダリ搬送波で基地局からモバイルエンティティにＭＢＳＦＮ信号を送信するための電気的コンポーネント又はモジュール１２０２を含むことができる。例えば、電気的コンポーネント１２０２は、トランシーバ、等に、及びセカンダリ搬送波でＭＢＳＦＮ信号を送信するための命令を有するメモリに、結合された少なくとも１つの制御プロセッサを含むことができる。電気的コンポーネント１２０２は、セカンダリ搬送波で基地局からモバイルエンティティにＭＢＳＦＮ信号を送信するための手段であることができ、又は、セカンダリ搬送波で基地局からモバイルエンティティにＭＢＳＦＮ信号を送信するための手段を含むことができる。該手段は、アルゴリズムを実行する制御プロセッサを含むことができる。アルゴリズムは、例えば、セカンダリ搬送波に関するマルチキャストデータストリームを準備することと、ＭＢＳＦＮプロトコルにより信号を変調することと、その信号をセカンダリ搬送波で無線送信することと、を含むことができる。
【００８９】
装置１２００は、プライマリ搬送波で基地局からＭＣＣＨを取得するために使用される情報を送信するための電気的コンポーネント１２０４を含むことができ、基地局は、プライマリ搬送波で少なくともユニキャストシグナリングも送信する。例えば、電気的コンポーネント１２０４は、トランシーバ、等に、及びプライマリ搬送波を用いてＭＣＣＨを取得するために使用される情報を送信するための命令を保持するメモリに、結合された少なくとも１つの制御プロセッサを含むことができる。電気的コンポーネント１２０２は、プライマリ搬送波で基地局からＭＣＣＨを取得するために使用される情報を送信するための手段であることができ、又は、プライマリ搬送波で基地局からＭＣＣＨを取得するために使用される情報を送信するための手段を含むことができ、基地局は、プライマリ搬送波で少なくともユニキャストシグナリングも送信する。該手段は、アルゴリズムを実行する制御プロセッサを含むことができる。アルゴリズムは、例えば、プライマリ搬送波でユニキャスト信号を送信することと、セカンダリ搬送波のＭＣＣＨを取得するための情報を入手することと、ＭＣＣＨを取得するための情報をプライマリ搬送波で無線送信することと、を含むことができる。
【００９０】
装置１２００は、ｅＭＢＭＳ信号を搬送する１つ以上の後方互換可能な搬送波に関してプライマリ搬送波での専用シグナリングにおいてＭＣＣＨを取得するための情報を含めるための、他方、ｅＭＢＭＳシグナリングを搬送する１つ以上の後方互換不能な搬送波に関してプライマリ搬送波での共通シグナリングにおいてＭＣＣＨを取得するための情報を含めるための、電気的コンポーネント又は手段１２０６を含むことができる。電気的コンポーネント又は手段１２０６は、トランシーバに、及び符号化された命令の形態でアルゴリズムを保持するメモリに、結合された少なくとも１つの制御プロセッサであることができ、又は、トランシーバに、及び符号化された命令の形態でアルゴリズムを保持するメモリに、結合された少なくとも１つの制御プロセッサを含むことができ、少なくとも１つの制御プロセッサは、アルゴリズムを実行する。アルゴリズムは、例えば、ｅＭＢＭＳ信号を搬送する１つ以上の後方互換可能な搬送波の各々に関してＭＣＣＨを取得するための第１の情報を入手することと、プライマリ搬送波で送信された専用シグナリングにおいてＭＣＣＨを取得するための第１の情報を含めることと、を含むことができる。アルゴリズムは、例えば、ｅＭＢＭＳ信号を搬送する１つ以上の後方互換不能な搬送波の各々に関してＭＣＣＨを取得するための第２の情報を入手することと、プライマリ搬送波で送信された共通シグナリングにおいて第２の情報を含めることと、をさらに含むことができる。
【００９１】
装置１２００は、図９乃至１１と関係させて説明される追加動作９００乃至１１００のうちのいずれか又は全部を実施するための同様の電気的コンポーネントを含むことができ、それらは、例示を簡略化することを目的として図１２には示されていない。
【００９２】
関連する態様では、装置１２００は、装置１２００がネットワークエンティティとして構成される場合、少なくとも１つのプロセッサを有するプロセッサコンポーネント１２１０を任意選択で含むことができる。プロセッサ１２１０は、該場合においては、バス１２１２又は類似の通信カップリングを介してコンポーネント１２０２乃至１２０６又は同様のコンポーネントと動作可能な形で通信することができる。プロセッサ１２１０は、電気的コンポーネント１２０２乃至１２０６によって実施されるプロセス又は機能の開始及びスケジューリングを行うことができる。プロセッサ１２１０は、コンポーネント１２０２乃至１２０６全体又はその一部を包含することができる。代替においては、プロセッサ１２１０は、コンポーネント１２０２乃至１２０６から切り離すことができ、それらは、１つ以上の別個のプロセッサを含むことができる。
【００９３】
さらなる関連する態様では、装置１２００は、無線トランシーバコンポーネント１２１４を含むことができる。トランシーバ１２１４の代わりに又はトランシーバ１２１４とともに独立型の受信機及び／又は独立型の送信機を使用することができる。代替においては、又はさらなる追加で、装置１２００は、複数のトランシーバ又は送信機／受信機の対を含むことができ、それらは、異なる搬送波で送信及び受信するために使用することができる。装置１２００は、情報を格納するためのコンポーネント、例えば、メモリデバイス／コンポーネント１２１６、を任意選択で含むことができる。コンピュータによって読み取り可能な媒体又はメモリコンポーネント１２１６は、バス１２１２、等を介して装置１２００のその他のコンポーネントに動作可能な形で結合することができる。メモリコンポーネント１２１６は、コンポーネント１２０２乃至１２０６、及びそれらのサブコンポーネント、又はプロセッサ１２１０の活動、追加の態様１１００、又はここにおいて開示される方法を実施するためのコンピュータによって読み取り可能な命令及びデータを格納するように好適化することができる。メモリコンポーネント１２１６は、コンポーネント１２０２乃至１２０６と関連付けられた機能を実行するための命令を保持することができる。コンポーネント１２０２乃至１２０６は、メモリ１２１６の外部のコンポーネントとして示されているが、メモリ１２１６内に存在できることが理解されるべきである。
【００９４】
方法８００を実施する基地局から信号を受信するモバイルエンティティは、図１３に示されるように、基地局からの情報を利用するために方法１３００を実施することができる。モバイルエンティティは、ここにおいて説明される様々な形態のうちのいずれかのエンティティ、例えば、ＵＥ、を備えることができる。方法１３００は、１３１０において、モバイルエンティティがセカンダリ搬送波での基地局からのＭＢＳＦＮ信号を受信することを含むことができる。方法１３００は、１３２０において、モバイルエンティティがプライマリ搬送波での基地局からのＭＣＣＨを取得するために使用される情報を受信することをさらに含むことができ、プライマリ搬送波は、少なくともユニキャストシグナリングも含む。
【００９５】
図１４−１５は、無線通信システムの複数の搬送波を用いてｅＭＢＭＳ情報を受信するために方法１３００と関係させてモバイルエンティティによって実施することができるさらなる任意選択の動作又は態様１４００、１５００を示す。図１４−１５に示される動作は、方法１３００を実施するためには要求されない。“代替における”（“ｉｎ  ｔｈｅ  ａｌｔｅｒｎａｔｉｅｖ”）の菱形から分岐した正反対の分枝上に配置されないかぎり、動作は、独立して実施することができ及び互いに排他的でない。従って、該動作うちのいずれの１つも、他の下流又は上流の動作が実施されるかどうかにかかわらず実施することができる。方法１３００が図１４−１５の少なくとも１つの動作を含む場合は、方法１３００は、その少なくとも１つの動作の後に終了することができ、例示されることがあるいずれの後続する下流の動作も必ずしも含める必要はない。逆に、“代替における”の菱形から分岐した正反対の分枝上に配置される動作は、方法のいずれの特定の事例においても互いに排他的な代替であることが予想される。
【００９６】
図１４を参照し、方法１３００は、追加動作１４００のうちの１つ以上を含むことができる。方法１３００は、１４１０において、モバイルエンティティがプライマリ搬送波のＳＩＢにおいてＭＣＣＨを取得するための情報を受信することをさらに含むことができる。方法１３００は、１４２０において、モバイルエンティティがＲＲＣ_ＣＯＮＮＥＣＴＥＤ状態にある間に専用シグナリングにおいてＭＣＣＨを取得するための情報を受信することをさらに含むことができる。方法１３００は、１４３０において、モバイルエンティティがＭＢＳＦＮ信号専用としてのセカンダリ搬送波の全サブフレームを復号することをさらに含むことができる。方法１３００は、１４４０において、モバイルエンティティがＭＣＣＨを介して受信された情報を用いてＭＢＳＦＮ信号を復号することをさらに含むことができる。
【００９７】
図１５を参照し、方法１３００は、追加動作１５００のうちの１つ以上を含むことができる。方法１３００は、１５１０において、モバイルエンティティがＲＲＣ_ＩＤＬＥ状態にある間にモバイルエンティティがブロードキャスト共通シグナリングにおいてＭＣＣＨを取得するための情報を受信することをさらに含むことができる。方法１３００は、１５２０において、モバイルエンティティがプライマリ搬送波のＳＩＢ１３においてＭＣＣＨを取得するための情報を受信することをさらに含むことができる。代替においては、方法１３００は、１５３０において、モバイルエンティティがプライマリ搬送波の１つ以上の追加のＳＩＢにおいてＭＣＣＨを取得するための情報の少なくとも一部分を受信することをさらに含むことができる。代替においては、方法１３００は、１５４０において、モバイルエンティティがプライマリ搬送波のＳＩＢ１３においてＭＣＣＨを取得するための情報の少なくとも一部分を受信することをさらに含むことができる。モバイルエンティティは、他のＳＩＢ、例えば、ＳＩＢ３、において、又は１３よりも大きい番号が付された新しいＳＩＢ、例えば、新しいＳＩＢ１４、において情報の異なる一部分を受信することができる。
【００９８】
図１６を参照し、セカンダリ搬送波でｅＭＢＭＳを受信するために、無線ネットワーク内のモバイルエンティティ又はＵＥとして、又は、そのＭＥ又はＵＥ内で使用するためのプロセッサ又は同様のデバイスとして、構成することができる典型的な装置１６００が提供される。装置１６００は、プロセッサ、ソフトウェア、又はそれらの組み合わせ（例えば、ファームウェア）によって実装された機能を表すことができる機能ブロックを含むことができる。
【００９９】
一実施形態では、装置１６００は、セカンダリ搬送波でモバイルエンティティにおいてＭＢＳＦＮ信号を受信するための電気的コンポーネント又はモジュール１６０２を含むことができる。例えば、電気的コンポーネント１６０２は、トランシーバ、等に、及び複数の搬送波のうちのセカンダリのそれを通じてＭＢＳＦＮシグナリングを受信及び処理するための命令を有するメモリに、結合された少なくとも１つの制御プロセッサを含むことができる。電気的コンポーネント１６０２は、セカンダリ搬送波でモバイルエンティティにおいてＭＢＳＦＮ信号を受信するための手段であることができ、又は、セカンダリ搬送波でモバイルエンティティにおいてＭＢＳＦＮ信号を受信するための手段を含むことができる。該手段は、アルゴリズムを実行する制御プロセッサを含むことができる。アルゴリズムは、例えば、セカンダリ搬送波での信号を受信することと、ＭＢＳＦＮプロトコルによりその信号を復調して復調されたデータを入手することと、を含むことができる。
【０１００】
装置１６００は、プライマリ搬送波でのＭＣＣＨを取得するために使用される情報を受信するための電気的コンポーネント１６０４を含むことができ、プライマリ搬送波は、少なくともユニキャストシグナリングも含む。例えば、電気的コンポーネント１６０４は、トランシーバ、等に、及びアンカー搬送波でのＭＣＣＨを取得するための命令を保持するメモリに、結合された少なくとも１つの制御プロセッサを含むことができる。電気的コンポーネント１６０４は、プライマリ搬送波でのＭＣＣＨを取得するために使用される情報を受信するための手段であることができ、又は、プライマリ搬送波でのＭＣＣＨを取得するために使用される情報を受信するための手段を含むことができ、プライマリ搬送波は、少なくともユニキャストシグナリングも含む。該手段は、アルゴリズムを実行する制御プロセッサを含むことができる。アルゴリズムは、例えば、プライマリ搬送波でのユニキャストシグナリングを受信することと、プライマリ搬送波での制御シグナリングを受信することと、制御シグナリングにおけるセカンダリ搬送波ＭＣＣＨを取得するための情報を識別することと、を含むことができる。ＭＣＣＨ自体は、セカンダリ搬送波でブロードキャストすることができる。装置１６００は、図１４−１５と関係させて説明される追加動作１４００又は１５００のうちのいずれか又は全部を実施するための同様の電気的コンポーネントを含むことができ、それらは、例示を簡略化することを目的として図１６には示されていない。
【０１０１】
関連する態様では、装置１６００は、装置１６００がモバイルエンティティとして構成される場合、少なくとも１つのプロセッサを有するプロセッサコンポーネント１６１０を任意選択で含むことができる。プロセッサ１６１０は、該場合においては、バス１６１２又は類似の通信カップリングを介してコンポーネント１６０２乃至１６０４又は同様のコンポーネントと動作可能な形で通信することができる。プロセッサ１６１０は、電気的コンポーネント１６０２乃至１６０４によって実施されるプロセス又は機能の開始及びスケジューリングを行うことができる。プロセッサ１６１０は、コンポーネント１６０２乃至１６０４全体又はその一部を包含することができる。代替においては、プロセッサ１６１０は、コンポーネント１６０２乃至１６０４から切り離すことができ、それらは、１つ以上の別個のプロセッサを含むことができる。
【０１０２】
さらなる関連する態様では、装置１６００は、無線トランシーバコンポーネント１６１４を含むことができる。トランシーバ１６１４の代わりに又はトランシーバ１６１４とともに独立型の受信機及び／又は独立型の送信機を使用することができる。代替においては、又はさらなる追加で、装置１６００は、複数のトランシーバ又は送信機／受信機の対を含むことができ、それらは、異なる搬送波で送信及び受信するために使用することができる。装置１６００は、情報を格納するためのコンポーネント、例えば、メモリデバイス／コンポーネント１６１６、を任意選択で含むことができる。コンピュータによって読み取り可能な媒体又はメモリコンポーネント１６１６は、バス１６１２、等を介して装置１６００のその他のコンポーネントに動作可能な形で結合することができる。メモリコンポーネント１６１６は、コンポーネント１６０２乃至１６０４、及びそれらのサブコンポーネント、又はプロセッサ１６１０の活動、追加の態様１４００又は１５００、又はここにおいて開示される方法を実施するためのコンピュータによって読み取り可能な命令及びデータを格納するように好適化することができる。メモリコンポーネント１６１６は、コンポーネント１６０２乃至１６０４と関連付けられた機能を実行するための命令を保持することができる。コンポーネント１６０２乃至１６０４は、メモリ１６１６の外部のコンポーネントとして示されているが、メモリ１６１６内に存在できることが理解されるべきである。
【０１０３】
ネットワークエンティティは、図１７に示されるように、セカンダリ搬送波でＭＢＳＦＮ信号を送信するための方法１７００を実施することもできる。ネットワークエンティティは、例えば、無線通信システムのためのｅＮＢ、ホームノードＢ、又はその他の基地局であることができる。方法１７００は、１７１０において、セカンダリ搬送波で基地局からＭＢＳＦＮ信号を送信することを含むことができる。方法１７００は、１７２０において、プライマリ搬送波で基地局からＭＣＣＨ情報を送信することをさらに含むことができ、基地局は、プライマリ搬送波で少なくともユニキャストシグナリングも送信する。
【０１０４】
図１８は、無線通信システムの複数の搬送波を用いてｅＭＢＭＳ情報を送信するための方法１７００と関係させてネットワークエンティティによって実施することができるさらなる任意選択の動作又は態様１８００を示す。図１８に示される動作は、方法１７００を実施するためは要求されない。“代替における”の菱形から分岐した正反対の分枝上に配置されないかぎり、動作は、独立して実施することができ及び互いに排他的でない。従って、該動作うちのいずれの１つも、他の下流又は上流の動作が実施されるかどうかにかかわらず実施することができる。方法１７００が図１８の少なくとも１つの動作を含む場合は、方法１７００は、その少なくとも１つの動作の後に終了することができ、例示されることがあるいずれの後続する下流の動作も必ずしも含める必要はない。逆に、“代替における”の菱形から分岐した正反対の分枝上に配置される動作は、方法のいずれの特定の事例においても互いに排他的な代替であることが予想される。
【０１０５】
図１８を参照し、方法１７００は、１８０５において、基地局がＭＣＣＨ情報にＭＢＳＦＮ信号を復号するための情報を含めることをさらに含むことができる。方法１７００は、１８１０において、基地局がＭＣＣ情報の変更の通知を提供するためにプライマリ搬送波でＰＤＣＣＨを送信することをさらに含むことができる。方法１７００は、１８２０において、基地局がプライマリ搬送波でのＭＣＣＨ情報に応答してモバイルエンティティからカウンティング応答を受信することをさらに含むことができる。すなわち、基地局は、モバイルエンティティがプライマリ搬送波でカウンティング応答を送信するためそれをそこで受信することができる。代替においては、方法１７００は、１８３０において、基地局がセカンダリ搬送波と関連付けられているアップリンク搬送波でのＭＣＣＨ情報に応答してモバイルエンティティからカウンティング応答を受信することを含むことができる。すなわち、基地局は、セカンダリ搬送波と関連付けられるアップリンク搬送波（アンカー搬送波ではない）での応答を受信することができる。
【０１０６】
図１９を参照し、ｅＭＢＭＳを提供するために、無線ネットワーク内のネットワークエンティティとして、又は、そのネットワークエンティティ内で使用するためのプロセッサ又は同様のデバイスとして、構成することができる典型的な装置１９００が提供される。装置１９００は、プロセッサ、ソフトウェア、又はそれらの組み合わせ（例えば、ファームウェア）によって実装された機能を表すことができる機能ブロックを含むことができる。
【０１０７】
例示されるように、一実施形態では、装置１９００は、セカンダリ搬送波で基地局からモバイルエンティティにＭＢＳＦＮ信号を送信するための電気的コンポーネント又はモジュール１９０２を含むことができる。例えば、電気的コンポーネント１９０２は、トランシーバ、等に、及びセカンダリ搬送波でＭＢＳＦＮ信号を送信するための命令を有するメモリに、結合された少なくとも１つの制御プロセッサを含むことができる。電気的コンポーネント１９０２は、セカンダリ搬送波でＭＢＳＦＮ信号を送信するための手段であることができ、又は、セカンダリ搬送波でＭＢＳＦＮ信号を送信するための手段を含むことができる。該手段は、アルゴリズムを実行する制御プロセッサを含むことができる。アルゴリズムは、例えば、セカンダリ搬送波に関するマルチキャストデータストリームを準備することと、ＭＢＳＦＮプロトコルにより信号を変調することと、その信号をセカンダリ搬送波で無線送信することと、を含むことができる。
【０１０８】
装置１９００は、プライマリ搬送波で基地局からＭＣＣＨ情報を送信するための電気的コンポーネント１９０４を含むことができ、基地局は、プライマリ搬送波で少なくともユニキャストシグナリングも送信する。例えば、電気的コンポーネント１９０４は、トランシーバ、等に、及びプライマリ搬送波を用いてＭＣＣＨ情報を送信するための命令を保持するメモリに、結合された少なくとも１つの制御プロセッサを含むことができる。電気的コンポーネント１９０４は、プライマリ搬送波で基地局からＭＣＣＨ情報を送信するための手段であることができ、又は、プライマリ搬送波で基地局からＭＣＣＨ情報を送信するための手段を含むことができ、基地局は、プライマリ搬送波で少なくともユニキャストシグナリングも送信する。該手段は、アルゴリズムを実行する制御プロセッサを含むことができる。アルゴリズムは、例えば、プライマリ搬送波でユニキャスト信号を送信することと、セカンダリ搬送波のＭＣＣＨ情報を入手することと、ＭＣＣＨ情報をプライマリ搬送波で無線送信することと、を含むことができる。装置１９００は、図１８と関係させて説明される追加動作１８００うちのいずれか又は全部を実施するための同様の電気的コンポーネントを含むことができ、それらは、例示を簡略化することを目的として図１９には示されていない。
【０１０９】
関連する態様では、装置１９００は、装置１９００がネットワークエンティティとして構成される場合、少なくとも１つのプロセッサを有するプロセッサコンポーネント１９１０を任意選択で含むことができる。プロセッサ１９１０は、該場合においては、バス１９１２又は類似の通信カップリングを介してコンポーネント１９０２乃至１９０４又は同様のコンポーネントと動作可能な形で通信することができる。プロセッサ１９１０は、電気的コンポーネント１９０２乃至１９０４によって実施されるプロセス又は機能の開始及びスケジューリングを行うことができる。プロセッサ１９１０は、コンポーネント１９０２乃至１９０４全体又はその一部を包含することができる。代替においては、プロセッサ１９１０は、コンポーネント１９０２乃至１９０４から切り離すことができ、それらは、１つ以上の別個のプロセッサを含むことができる。
【０１１０】
さらなる関連する態様では、装置１９００は、無線トランシーバコンポーネント１９１４を含むことができる。トランシーバ１９１４の代わりに又はトランシーバ１９１４とともに独立型の受信機及び／又は独立型の送信機を使用することができる。代替においては、又はさらなる追加で、装置１９００は、複数のトランシーバ又は送信機／受信機の対を含むことができ、それらは、異なる搬送波で送信及び受信するために使用することができる。装置１９００は、情報を格納するためのコンポーネント、例えば、メモリデバイス／コンポーネント１９１６、を任意選択で含むことができる。コンピュータによって読み取り可能な媒体又はメモリコンポーネント１９１６は、バス１９１２、等を介して装置１９００のその他のコンポーネントに動作可能な形で結合することができる。メモリコンポーネント１９１６は、コンポーネント１９０２乃至１９０４、及びそれらのサブコンポーネント、又はプロセッサ１９１０の活動、追加の態様１８００、又はここにおいて開示される方法を実施するためのコンピュータによって読み取り可能な命令及びデータを格納するように好適化することができる。メモリコンポーネント１９１６は、コンポーネント１９０２乃至１９０４と関連付けられた機能を実行するための命令を保持することができる。コンポーネント１９０２乃至１９０４は、メモリ１９１６の外部のコンポーネントとして示されているが、メモリ１９１６内に存在できることが理解されるべきである。
【０１１１】
モバイルエンティティは、図２０に示されるように、セカンダリ搬送波でのＭＢＳＦＮ信号を受信するための方法２０００を実施することができる。方法２０００は、２０１０において、モバイルエンティティがセカンダリ搬送波で基地局から送信するＭＢＳＦＮ信号を受信することを含むことができる。方法２０００は、２０２０において、プライマリ搬送波での基地局からのＭＣＣＨ情報を受信することをさらに含むことができ、プライマリ搬送波は、少なくともユニキャストシグナリングも含む。
【０１１２】
図２１は、無線通信システムの複数の搬送波を用いてｅＭＢＭＳ情報を受信するための方法２０００と関係させてモバイルエンティティによって実施することができるさらなる任意選択の動作又は態様２１００を示す。図２１に示される動作は、方法２０００を実施するためは要求されない。“代替における”の菱形から分岐した正反対の分枝上に配置されないかぎり、動作は、独立して実施することができ及び互いに排他的でない。従って、該動作うちのいずれの１つも、他の下流又は上流の動作が実施されるかどうかにかかわらず実施することができる。方法２０００が図２０の少なくとも１つの動作を含む場合は、方法２０００は、その少なくとも１つの動作の後に終了することができ、例示されることがあるいずれの後続する下流の動作も必ずしも含める必要はない。逆に、“代替における”の菱形から分岐した正反対の分枝上に配置される動作は、方法のいずれの特定の事例においても互いに排他的な代替であることが予想される。
【０１１３】
図２１を参照し、方法２０００は、２１０５において、モバイルエンティティがＭＣＣＨ情報を用いてＭＢＳＦＮ信号を復号することをさらに含むことができる。方法２０００は、２１１０において、モバイルエンティティがＭＣＣ情報の変更の通知を入手するためにプライマリ搬送波でのＰＤＣＣＨを受信することをさらに含むことができる。方法２０００は、２１２０において、モバイルエンティティがプライマリ搬送波でＭＣＣＨ情報に応答して基地局にカウンティング応答を送信することをさらに含むことができる。すなわち、モバイルエンティティは、プライマリ搬送波でカウンティング応答を送信することができる。代替においては、方法２０００は、２１３０において、モバイルエンティティがセカンダリ搬送波と関連付けられているアップリンク搬送波でのＭＣＣＨ情報に応答して基地局にカウンティング応答を送信することを含むことができる。すなわち、モバイルエンティティは、セカンダリ搬送波と関連付けられるアップリンク搬送波（アンカー搬送波ではない）で応答を送信することができる。
【０１１４】
概して、図１５、１８及び２１を参照し、論理的分岐動作と関連付けられた判断機能は、これらの図で描かれるその他の動作と同様に、ソフトウェア、ハードウェア、それらの組み合わせ又はあらゆるその他の適切な手段（例えば、デバイス、システム、プロセス、又はコンポーネント）によって実装することができる。従って、例えば、分岐判断は、説明される方法のその他の態様を実施するエンティティによる実行中に行うことができ、その他の動作の実行前に設計によって予め決定することができ、又は、様々な分岐動作にわたる前記の何らかの組み合わせによって完遂することができる。
【０１１５】
図２２を参照し、セカンダリ搬送波でのｅＭＢＭＳを受信するために、無線ネットワーク内のモバイルエンティティ又はＵＥとして、又は、そのＭＥ又はＵＥ内で使用するためのプロセッサ又は同様のデバイスとして、構成することができる典型的な装置２２００が提供される。装置２２００は、プロセッサ、ソフトウェア、又はそれらの組み合わせ（例えば、ファームウェア）によって実装された機能を表すことができる機能ブロックを含むことができる。
【０１１６】
一実施形態では、装置２２００は、セカンダリ搬送波でモバイルエンティティにおいてＭＢＳＦＮ信号を受信するための電気的コンポーネント又はモジュール２２０２を含むことができる。例えば、電気的コンポーネント２２０２は、トランシーバ、等に、及び複数の搬送波のうちのセカンダリのそれを通じてｅＭＢＭＳシグナリングを受信及び処理するための命令を有するメモリに、結合された少なくとも１つの制御プロセッサを含むことができる。電気的コンポーネント２２０２は、セカンダリ搬送波でモバイルエンティティにおいてＭＢＳＦＮ信号を受信するための手段であることができ、又は、セカンダリ搬送波でモバイルエンティティにおいてＭＢＳＦＮ信号を受信するための手段を含むことができる。該手段は、アルゴリズムを実行する制御プロセッサを含むことができる。アルゴリズムは、例えば、セカンダリ搬送波での信号を受信することと、ＭＢＳＦＮプロトコルによりその信号を復調して復調されたデータを入手することと、を含むことができる。
【０１１７】
装置２２００は、プライマリ搬送波でのＭＣＣＨ情報を受信するための電気的コンポーネント２２０４を含むことができ、プライマリ搬送波は、少なくともユニキャストシグナリングも含む。例えば、電気的コンポーネント２２０４は、トランシーバ、等に、及びアンカー搬送波でのＭＣＣＨ情報を受信するための命令を保持するメモリに、結合された少なくとも１つの制御プロセッサを含むことができる。電気的コンポーネント２２０４は、プライマリ搬送波でのＭＣＣＨ情報を受信するための手段であることができ、又は、プライマリ搬送波でのＭＣＣＨ情報を受信するための手段を含むことができ、プライマリ搬送波は、少なくともユニキャストシグナリングも含む。該手段は、アルゴリズムを実行する制御プロセッサを含むことができる。アルゴリズムは、例えば、プライマリ搬送波でのユニキャストシグナリングを受信することと、プライマリ搬送波での制御シグナリングを受信することと、制御シグナリングにおけるセカンダリ搬送波ＭＣＣＨのためのＭＣＣＨ情報を識別することと、を含むことができる。装置２２００は、図２１と関係させて説明される追加動作２１００のうちのいずれか又は全部を実施するための同様の電気的コンポーネントを含むことができ、それらは、例示を簡略化することを目的として図２２には示されていない。
【０１１８】
関連する態様では、装置２２００は、装置２２００がモバイルエンティティとして構成される場合、少なくとも１つのプロセッサを有するプロセッサコンポーネント２２１０を任意選択で含むことができる。プロセッサ２２１０は、該場合においては、バス２２１２又は類似の通信カップリングを介してコンポーネント２２０２乃至２２０４又は同様のコンポーネントと動作可能な形で通信することができる。プロセッサ２２１０は、電気的コンポーネント２２０２乃至２２０４によって実施されるプロセス又は機能の開始及びスケジューリングを行うことができる。プロセッサ２２１０は、コンポーネント２２０２乃至２２０４全体又はその一部を包含することができる。代替においては、プロセッサ２２１０は、コンポーネント２２０２乃至２２０４から切り離すことができ、それらは、１つ以上の別個のプロセッサを含むことができる。
【０１１９】
さらなる関連する態様では、装置２２００は、無線トランシーバコンポーネント２２１４を含むことができる。トランシーバ２２１４の代わりに又はトランシーバ２２１４とともに独立型の受信機及び／又は独立型の送信機を使用することができる。代替においては、又はさらなる追加で、装置２２００は、複数のトランシーバ又は送信機／受信機の対を含むことができ、それらは、異なる搬送波で送信及び受信するために使用することができる。装置２２００は、情報を格納するためのコンポーネント、例えば、メモリデバイス／コンポーネント２２１６、を任意選択で含むことができる。コンピュータによって読み取り可能な媒体又はメモリコンポーネント２２１６は、バス２２１２、等を介して装置２２００のその他のコンポーネントに動作可能な形で結合することができる。メモリコンポーネント２２１６は、コンポーネント２２０２乃至２２０４、及びそれらのサブコンポーネント、又はプロセッサ２２１０の活動、又は追加の態様２１００、又はここにおいて開示される方法を実施するためのコンピュータによって読み取り可能な命令及びデータを格納するように好適化することができる。メモリコンポーネント２２１６は、コンポーネント２２０２乃至２２０４と関連付けられた機能を実行するための命令を保持することができる。コンポーネント２２０２乃至２２０４は、メモリ２２１６の外部のコンポーネントとして示されているが、メモリ２２１６内に存在できることが理解されるべきである。
【０１２０】
幾つかの態様は、ＭＢＳＦＮ情報を搬送するために複数の搬送波が使用されるときにサブフレーム割り当てを最適化することに関するものであることもできる。この目的のため、ネットワークエンティティは、図２３に示されるように、サブフレーム割り当てのための方法２３００を実施することができる。ネットワークエンティティは、例えば、無線通信システムに関するｅＮＢ、ホームノードＢ、又はその他の基地局であることができる。方法２３００は、２３１０において、基地局が、ＭＢＳＦＮ情報を搬送するサブフレームの増大された割り当てを提供するために、混合搬送波で本来はユニキャスト信号用に予約されている１つ以上のサブフレームの少なくとも一部分を割り当てることを含むことができる。方法２３００は、２３２０において、基地局が増大された割り当てを用いてＭＢＳＦＮ信号を送信することをさらに備えることができる。
【０１２１】
図２４乃至２６は、サブフレーム割り当てのための方法２３００と関係させてソース基地局によって実施することができるさらなる任意選択の動作又は態様２４００、２５００、２６００を示す。図２４乃至２６に示される動作は、方法２３００を実施するためには要求されない。動作２４００、２５００又は２６００は、独立して実施することができ及び互いに排他的でない。従って、該動作うちのいずれの１つも、他の下流又は上流の動作が実施されるかどうかにかかわらず実施することができる。方法２３００が図２４乃至２６の少なくとも１つの動作を含む場合は、方法２３００は、その少なくとも１つの動作の後に終了することができ、例示されることがあるいずれの後続する下流の動作も必ずしも含める必要はない。
【０１２２】
図２４は、動作２３１０においてより一般的に定義されるサブフレーム割り当て動作２４００のより具体的な例を提供する。動作２４００は、周波数分割複信（ＦＤＤ）プロトコルとともに使用するように好適化される。方法２３００は、２４１０において、ＦＤＤプロトコルによりサブフレームを割り当てることを含むことができる。方法２３００は、２４２０において、ＭＢＳＦＮ情報のために奇数番号が付されたＦＤＤ無線フレーム内のサブフレーム５を割り当てることを含むことができる。方法２３００は、２４３０において、ＳＩＢをスケジューリングすることと、偶数番号が付された無線サブフレーム内のサブフレーム５及びサブフレーム０のうちの少なくとも１つにおいてページングすることと、を含むことができる。方法２３００は、２４４０において、ＭＢＳＦＮ情報のためにサブフレーム４及び９のうちの少なくとも１つを割り当てることを含むことができる。
【０１２３】
代替においては、又はさらなる追加で、方法２３００は、時分割複信（ＴＤＤ）プロトコル用に好適化された動作２５００を用いて、図２５に示されるようにサブフレーム割り当てを実装することができる。方法２３００は、２５１０において、ＴＤＤプロトコルによりサブフレームを割り当てることを含むことができる。方法２３００は、２５２０において、ＭＢＳＦＮ情報のために奇数番号が付されたＴＤＤ無線フレーム内のサブフレーム５を割り当てることを含むことができる。方法２３００は、２５３０において、ＳＩＢをスケジューリングすることと、偶数番号が付された無線フレーム内のサブフレーム５及びサブフレーム０のうちの少なくとも１つにおいてページングすることと、を含むことができる。方法２３００は、２５４０において、ＭＢＳＦＮ情報のためにサブフレーム１及び６のうちの少なくとも１つを割り当てることを含むことができる。
【０１２４】
Ｒｅｌｅａｓｅ１０は、ＦＤＤプロトコル及びＴＤＤプロトコルのアグリゲーションはサポートしない。従って、方法２３００は、Ｒｅｌｅａｓｅ１０に基づいて実践される場合は、ＦＤＤプロトコルに関する動作２４００又はＴＤＤプロトコルに関する動作２５００を含むことができるが、概して同じネットワークエンティティではＴＤＤプロトコル及びＦＤＤプロトコルの両方に関する動作は含まない。将来のリリースは、ＦＤＤプロトコル及びＴＤＤプロトコルに関するアグリゲーションサポートをサポートすることができ、ネットワークエンティティは、異なる搬送波、異なる時間、又は異なる位置に関してＦＤＤプロトコル及びＴＤＤプロトコルのいずれか又は両方を使用することができる。該実装では、動作２４００及び２５００は、特定の時間又は場所において特定の搬送波のために使用されるプロトコルに合致するように選択することができる。
【０１２５】
方法２３００は、図２６に示されるように追加動作２６００をさらに含むことができる。方法２３００は、２６１０において、ＭＢＳＦＮを一時的な期間使用するためのサブフレームの増大された割り当てを提供するためにサブフレームを割り当てることをさらに含むことができる。例えば、基地局は、混合搬送波が定義された期間ＭＢＳＦＮのために割り当てられたサブフレームを増加させるべきであることを示す信号を受信することができる。基地局は、定義された期間の開始時に動作２６１０を実施することができる。方法２３００は、２６２０において、一時的な期間の経過に応答して、本来はユニキャストシグナリング用に予約されておりユニキャストシグナリングのためにＭＢＳＦＮ信号に一時的に割り当てられる１つ以上のサブフレームの少なくとも一部分を再度割り当てることをさらに含むことができる。
【０１２６】
方法２３００は、ＭＢＳＦＮ情報を搬送するサブフレームの増大された割り当てを提供することを含む。増大された割り当ては、必ずしも静的ではなく、ネットワークエンティティは、例えば上述される動作２６１０及び２６２０によって示されるように、様々な要因、例えば、ユニキャストサービス又はマルチキャストサービスの相対的要求、に応答して割り当てを増大又は低減させることができる。従って、ネットワークエンティティは、特定の搬送波に関する現在のサブフレーム割り当てをモバイルエンティティに知らせるための信号を送信することができる。単一搬送波実施形態において使用するための第１の代替により、ネットワークエンティティは、ＳＩＢ２を通じてＭＢＳＦＮ割り当てを及びＳＩＢ１３を通じて実際のＭＢＭＳサービス割り当てを及びその後はＭＣＣＨ／ＭＳＩを介して送信することができる。代替においては、単一搬送波実施形態と同じように、複数の搬送波実施形態において使用するために、ネットワークエンティティは、専用シグナリングを通じてセカンダリ搬送波でＳＩＢ２シグナリングを送信し、他方、ＳＩＢ１３を通じて及びその後はＭＣＣＨ／ＭＳＩを介して実際のＭＢＭＳサービス割り当てを送信することができる。
【０１２７】
図２７を参照し、ｅＭＢＭＳを提供するために、無線ネットワーク内のネットワークエンティティとして、又は、そのネットワークエンティティ内で使用するためのプロセッサ又は同様のデバイスとして、構成することができる典型的な装置２７００が例示されまる。装置２７００は、プロセッサ、ソフトウェア、又はそれらの組み合わせ（例えば、ファームウェア）によって実装された機能を表すことができる機能ブロックを含むことができる。
【０１２８】
例示されるように、一実施形態では、装置２７００は、ＭＢＳＦＮ情報を搬送するサブフレームの増大された割り当てを提供するために混合搬送波で本来はユニキャスト信号用に予約されている１つ以上のサブフレームの少なくとも一部分を割り当てるための電気的コンポーネント又はモジュール２７０２を含むことができる。例えば、電気的コンポーネント２７０２は、トランシーバ、等に、及びサブフレームを割り当てるための命令を有するメモリに、結合された少なくとも１つの制御プロセッサを含むことができる。電気的コンポーネント２７０２は、ＭＢＳＦＮ情報を搬送するサブフレームの増大された割り当てを提供するために混合搬送波で本来はユニキャスト信号用に予約されている１つ以上のサブフレームの少なくとも一部分を割り当てるための手段であることができ、又は、ＭＢＳＦＮ情報を搬送するサブフレームの増大された割り当てを提供するために混合搬送波で本来はユニキャスト信号用に予約されている１つ以上のサブフレームの少なくとも一部分を割り当てるための手段を含むことができる。該手段は、アルゴリズムを実行する制御プロセッサを含むことができる。アルゴリズムは、例えば、ＴＤＤプロトコル又はＦＤＤプロトコルによりサブフレームを割り当てることと、ＦＤＤプロトコル又はＴＤＤプロトコルのいずれが使用されるかに基づいてＭＢＳＦＮ情報を選択されたサブフレームに割り当てることと、を含むことができる。アルゴリズムは、例えば、ブロック２４２０、２４３０、２４４０、２５２０、２５３０、又は２５４０において、上記において開示されるより詳細なアルゴリズムのうちのいずれかによりサブフレームを割り当てることをさらに含むことができる。
【０１２９】
装置２７００は、増大された割り当てを用いてＭＢＳＦＮ信号を送信するための電気的コンポーネント２７０４を含むことができる。例えば、電気的コンポーネント２７０４は、トランシーバ、等に、及びＭＢＳＦＮ信号を送信するための命令を保持するメモリに、結合された少なくとも１つの制御プロセッサを含むことができる。電気的コンポーネント２７０４は、増大された割り当てを用いてＭＢＳＦＮ信号を送信するための手段であることができ、又は増大された割り当てを用いてＭＢＳＦＮ信号を送信するための手段を含むことができる。該手段は、アルゴリズムを実行する制御プロセッサを含むことができる。アルゴリズムは、例えば、増大された割り当てを有するサブフレームをプライマリ搬送波の送信チェーン（ｔｒａｎｓｍｉｔ  ｃｈａｉｎ）に提供することと、送信チェーンを用いてサブフレームを送信することと、を含むことができる。装置２７００は、図２４乃至２６と関係させて説明される追加動作２４００乃至２６００のうちのいずれか又は全部を実施するための同様の電気的コンポーネントを含むことができ、それらは、例示を簡略化することを目的として図２７には示されていない。
【０１３０】
関連する態様では、装置２７００は、装置２７００がネットワークエンティティとして構成される場合、少なくとも１つのプロセッサを有するプロセッサコンポーネント２７１０を任意選択で含むことができる。プロセッサ２７１０は、該場合においては、バス２７１２又は類似の通信カップリングを介してコンポーネント２７０２乃至２７０４又は同様のコンポーネントと動作可能な形で通信することができる。プロセッサ２７１０は、電気的コンポーネント２７０２乃至２７０４によって実施されるプロセス又は機能の開始及びスケジューリングを行うことができる。プロセッサ２７１０は、コンポーネント２７０２乃至２７０４全体又はその一部を包含することができる。代替においては、プロセッサ２７１０は、コンポーネント２７０２乃至２７０４から切り離すことができ、それらは、１つ以上の別個のプロセッサを含むことができる。
【０１３１】
さらなる関連する態様では、装置２７００は、無線トランシーバコンポーネント２７１４を含むことができる。トランシーバ２７１４の代わりに又はトランシーバ２７１４とともに独立型の受信機及び／又は独立型の送信機を使用することができる。代替においては、又はさらなる追加で、装置２７００は、複数のトランシーバ又は送信機／受信機の対を含むことができ、それらは、異なる搬送波で送信及び受信するために使用することができる。装置２７００は、情報を格納するためのコンポーネント、例えば、メモリデバイス／コンポーネント２７１６、を任意選択で含むことができる。コンピュータによって読み取り可能な媒体又はメモリコンポーネント２７１６は、バス２７１２、等を介して装置２７００のその他のコンポーネントに動作可能な形で結合することができる。メモリコンポーネント２７１６は、コンポーネント２７０２乃至２７０４、及びそれらのサブコンポーネント、又はプロセッサ２７１０の活動、追加の態様２４００、２５００、又は２６００、又はここにおいて開示される方法を実施するためのコンピュータによって読み取り可能な命令及びデータを格納するように好適化することができる。メモリコンポーネント２７１６は、コンポーネント２７０２乃至２７０４と関連付けられた機能を実行するための命令を保持することができる。コンポーネント２７０２乃至２７０４は、メモリ２７１６の外部のコンポーネントとして示されているが、メモリ２７１６内に存在できることが理解されるべきである。
【０１３２】
モバイルエンティティは、図２８に示されるように、サブフレーム割り当てを復号するための方法２８００を実施することができる。方法２８００は、２８１０において、ＭＢＳＦＮ信号がＭＢＳＦＮ情報を搬送するサブフレームの増大された割り当てを有するとモバイルエンティティが決定することを含むことができ、ユニキャスト信号用に予め予約されている１つ以上のサブフレームが代わりにマルチキャスト信号に割り当てられる。ＭＢＳＦＮ信号に関するサブフレーム割り当ては、上記のように、様々な要因に応答して変わることができる。単一搬送波実施形態において使用するための第１の代替により、モバイルエンティティは、ＳＩＢ２からＭＢＳＦＮ割り当てを及びＳＩＢ１３から実際のＭＢＭＳサービス割り当てを及びその後はＭＣＣＨ／ＭＳＩを介して決定することができる。代替においては、多搬送波実施形態において使用するために、モバイルエンティティは、サブフレーム割り当てを決定するために専用シグナリングを介してセカンダリ搬送波で受信されたＳＩＢ２シグナリングを復号することができ、他方、プライマリ搬送波でＳＩＢ１３を通じて及びその後はＭＣＣＨ／ＭＳＩを介して実際のＭＢＭＳサービス割り当てを入手することができる。方法２８００は、２８２０において、モバイルエンティティがマルチキャストコンテンツ出力を提供するために増大された割り当てによりＭＢＳＦＮ信号を復号することをさらに備えることができる。
【０１３３】
図２９乃至３１は、サブフレーム割り当てを使用するための方法２８００と関係してモバイルエンティティによって実施することができるさらなる任意選択の動作又は態様２９００、３０００、３１００を示す。図２９乃至３１に示される動作は、方法２８００を実施するためには要求されない。動作２９００、３０００及び３１００は、独立して実施することができ及び互いに排他的でない。従って、該動作のうちのいずれの１つも、他の下流又は上流の動作が実施されるかどうかにかかわらず実施することができる。方法２８００が図２９乃至３１の少なくとも１つの動作を含む場合は、方法２８００は、その少なくとも１つの動作の後に終了することができ、例示されることがあるいずれの後続する下流の動作も必ずしも含める必要はない。
【０１３４】
図２９は、ＦＤＤプロトコルに関する動作２９００を使用し、混合搬送波内での増大されたＭＢＳＦＮ割り当てによりサブフレームを復号する具体例を示す。方法２８００は、２９１０において、ＦＤＤプロトコルによりサブフレームを復号することを含むことができる。方法２８００は、２９２０において、ＭＢＳＦＮ情報のために奇数番号が付されたＦＤＤ無線フレーム内のサブフレーム５を復号することを含むことができる。方法２８００は、２９３０において、ＳＩＢを復号することと、偶数番号が付された無線フレーム内のサブフレーム５及びサブフレーム０のうちの少なくとも１つにおいてページングすることと、を含むことができる。方法２８００は、２９４０において、ＭＢＳＦＮ情報のためにサブフレーム４及び９のうちの少なくとも１つを復号することを含むことができる。
【０１３５】
代替においては、又はさらなる追加で、方法２８００は、ＴＤＤプロトコルに関する動作３０００を用いて、図３０に示されるようにサブフレーム割り当てを実装することができる。方法２８００は、３０１０において、ＴＤＤプロトコルによりサブフレームを復号することを含むことができる。方法２８００は、３０２０において、ＭＢＳＦＮ情報のために奇数番号が付された無線フレーム内のサブフレーム５を復号することを含むことができる。方法２８００は、３０３０において、ＳＩＢを復号することと、偶数番号が付された無線フレーム内のサブフレーム５及びサブフレーム０のうちの少なくとも１つにおいてページングすることと、を含むことができる。方法２８００は、３０４０において、ＭＢＳＦＮ情報のためにサブフレーム１及び６のうちの少なくとも１つを復号することを含むことができる。
【０１３６】
上記のように、Ｒｅｌｅａｓｅ１０は、ＦＤＤプロトコル及びＴＤＤプロトコルのアグリゲーションはサポートしない。従って、方法２８００は、Ｒｅｌｅａｓｅ１０に基づいて実践される場合は、ＦＤＤプロトコルに関する動作２９００又はＴＤＤプロトコルに関する動作３０００を含むことができるが、概して同じモバイルエンティティではＴＤＤプロトコル及びＦＤＤプロトコルの両方に関する動作は含まない。将来のリリースは、ＦＤＤプロトコル及びＴＤＤプロトコルに関するアグリゲーションサポートをサポートすることができ、モバイルエンティティは、異なる搬送波、異なる時間、又は異なる位置に関してＦＤＤプロトコル及びＴＤＤプロトコルのいずれか又は両方を使用することができる。該実装では、動作２９００及び３０００は、特定の時間又は場所において特定の搬送波のために使用されるプロトコルに合致するように選択することができる。
【０１３７】
方法２８００は、図３１に示されるように追加動作３１００をさらに含むことができる。方法２８００は、３１１０において、ＭＢＳＦＮに関する混合搬送波を専用で使用する一時的な期間に対処するためにＭＢＳＦＮ信号へのサブフレームの増大された割り当てを入手するためにサブフレームを復号することをさらに含むことができる。方法２８００は、３１２０において、一時的な期間の経過に応答して、本来はユニキャスト用に予約されておりユニキャストシグナリングのためにＭＢＳＦＮ信号に一時的に割り当てられる１つ以上のサブフレームの少なくとも一部分を復号することをさらに含むことができる。
【０１３８】
図３２を参照し、ｅＭＢＭＳサブフレームを復号するために、無線ネットワーク内のモバイルエンティティとして、又は、そのモバイルエンティティ内で使用するためのプロセッサ又は同様のデバイスとして、構成することができる典型的な装置３２００が提供される。装置３２００は、プロセッサ、ソフトウェア、又はそれらの組み合わせ（例えば、ファームウェア）によって実装された機能を表すことができる機能ブロックを含むことができる。
【０１３９】
例示されるように、一実施形態では、装置３２００は、ＭＢＳＦＮ信号がＭＢＳＦＮ情報を搬送するサブフレームの増大された割り当てを有することを決定するための電気的コンポーネント又はモジュール３２０２を含むことができ、ユニキャスト信号用に予め予約された１つ以上のサブフレームが代わりにマルチキャスト信号に割り当てられる。例えば、電気的コンポーネント３２０２は、トランシーバ、等に、及びＭＢＳＦＮ信号のためのサブフレーム割り当てを決定するための命令を有するメモリに、結合された少なくとも１つの制御プロセッサを含むことができる。電気的コンポーネント３２０２は、ＭＢＳＦＮ信号がＭＢＳＦＮ情報を搬送するサブフレームの増大された割り当てを有すると決定するための手段であることができ、又は、ＭＢＳＦＮ信号がＭＢＳＦＮ情報を搬送するサブフレームの増大された割り当てを有すると決定するための手段を含むことができ、ユニキャスト信号用に予め予約された１つ以上のサブフレームが代わりにマルチキャスト信号に割り当てられる。該手段は、アルゴリズムを実行する制御プロセッサを含むことができる。アルゴリズムは、例えば、プライマリ搬送波でのマルチキャスト制御信号を受信することと、その制御信号を、ＭＢＳＦＮ信号が特定の時間にマルチキャスト信号状態のための増大された割り当てに変わることの命令として解釈することと、その時間を検出することと、を含むことができる。
【０１４０】
装置３２００は、マルチキャストコンテンツ出力を提供するために増大された割り当てによりＭＢＳＦＮ信号を復号するための電気的コンポーネント３２０４を含むことができる。例えば、電気的コンポーネント３２０４は、トランシーバ、等に、及び出力、例えばＭＢＳＦＮコンテンツのオーディオ−ビデオ出力、を提供するためにＭＢＳＦＮ信号を復号するための命令を保持するメモリに、結合された少なくとも１つの制御プロセッサを含むことができる。電気的コンポーネント３２０４は、マルチキャストコンテンツ出力を提供するために増大された割り当てによりＭＢＳＦＮ信号を復号するための手段であることができ、及び、マルチキャストコンテンツ出力を提供するために増大された割り当てによりＭＢＳＦＮ信号を復号するための手段を含むことができる。該手段は、アルゴリズムを実行する制御プロセッサを含むことができる。アルゴリズムは、例えば、受信チェーンを介してＭＢＳＦＮ信号を受信することと、ＦＤＤプロトコル又はＴＤＤプロトコルのいずれが使用されるかに基づいて選択されたサブフレームからのＭＢＳＦＮ情報を復号することと、を含むことができる。例えば、アルゴリズムは、例えばブロック２９２０、２９３０、２９４０、３０２０、３０３０、又は３０４０において、上記において開示されるより詳細なアルゴリズムのうちのいずれかによりサブフレームを復号することをさらに含むことができる。装置３２００は、図２９乃至３１と関係させて説明される追加動作２９００乃至３１００のうちのいずれか又は全部を実施するための同様の電気的コンポーネントを含むことができ、それらは、例示を簡略化することを目的として図２７には示されていない。
【０１４１】
関連する態様では、装置３２００は、装置３２００がモバイルエンティティとして構成される場合、少なくとも１つのプロセッサを有するプロセッサコンポーネント３２１０を任意選択で含むことができる。プロセッサ３２１０は、該場合においては、バス３２１２又は類似の通信カップリングを介してコンポーネント３２０２乃至３２０４又は同様のコンポーネントと動作可能な形で通信することができる。プロセッサ３２１０は、電気的コンポーネント３２０２乃至３２０４によって実施されるプロセス又は機能の開始及びスケジューリングを行うことができる。プロセッサ３２１０は、コンポーネント３２０２乃至３２０４全体又はその一部を包含することができる。代替においては、プロセッサ３２１０は、コンポーネント３２０２乃至３２０４から切り離すことができ、それらは、１つ以上の別個のプロセッサを含むことができる。
【０１４２】
さらなる関連する態様では、装置３２００は、無線トランシーバコンポーネント３２１４を含むことができる。トランシーバ３２１４の代わりに又はトランシーバ３２１４とともに独立型の受信機及び／又は独立型の送信機を使用することができる。代替においては、又はさらなる追加で、装置３２００は、複数のトランシーバ又は送信機／受信機の対を含むことができ、それらは、異なる搬送波で送信及び受信するために使用することができる。装置３２００は、情報を格納するためのコンポーネント、例えば、メモリデバイス／コンポーネント３２１６、を任意選択で含むことができる。コンピュータによって読み取り可能な媒体又はメモリコンポーネント３２１６は、バス３２１２、等を介して装置３２００のその他のコンポーネントに動作可能な形で結合することができる。メモリコンポーネント３２１６は、コンポーネント３２０２乃至３２０４、及びそれらのサブコンポーネント、又はプロセッサ３２１０の活動、追加の態様２９００、３０００、又は３１００、又はここにおいて開示される方法を実施するためのコンピュータによって読み取り可能な命令及びデータを格納するように好適化することができる。メモリコンポーネント３２１６は、コンポーネント３２０２乃至３２０４と関連付けられた機能を実行するための命令を保持することができる。コンポーネント３２０２乃至３２０４は、メモリ３２１６の外部のコンポーネントとして示されているが、メモリ３２１６内に存在できることが理解されるべきである。
【０１４３】
図３３は、無線通信システムの少なくとも１つのネットワークエンティティを用いてｅＭＢＭＳを提供するための方法３３００を示す。ネットワークエンティティは、ここにおいて説明される様々な形態のうちのいずれかのｅＮＢを含むことができる。方法３３００は、３３２０において、ネットワークエンティティがモバイルエンティティに対してアンカー搬送波でユニキャストサービスのためのユニキャストシグナリングを送信することを含むことができる。モバイルエンティティは、各々が、無線通信システムの加入者と関連付けられたＵＥを備えることができる。方法３３００は、３３４０において、ネットワークエンティティが、ユニキャストシグナリングとともに使用するためにモバイルエンティティに対してアンカー搬送波と異なる第２の搬送波でｅＭＢＭＳシグナリングを送信することをさらに含むことができる。すべての説明される送信は、ここにおいて説明される１つ以上のプロトコルにより無線で行うことができる。
【０１４４】
対応して、図３４は、無線通信システムの少なくとも１つのモバイルエンティティを用いてｅＭＢＭＳを受信するための方法３４００を示す。モバイルエンティティは、無線通信システムの加入者と関連付けられたＵＥを含むことができる。方法３４００は、３４２０において、モバイルエンティティがネットワークエンティティからアンカー搬送波で受信されたユニキャストサービスのためのユニキャストシグナリングを処理することを含むことができる。ネットワークエンティティは、ここにおいて説明される様々な形態のうちのいずれかのノードＢを備えることができる。方法３４００は、３４４０において、モバイルエンティティがアンカー搬送波と異なる第２の搬送波でネットワークエンティティから受信されたｅＭＢＭＳシグナリングを処理することをさらに含むことができる。モバイルエンティティは、ここにおいて説明される１つ以上のプロトコルにより無線で全シグナリングを受信することができる。
【０１４５】
図３５Ａ及び３５Ｂは、無線通信システムの少なくとも１つのネットワークエンティティを用いてｅＭＢＭＳを提供するための方法３３００と関係させてネットワークエンティティによって実施することができるさらなる任意選択の動作又は態様３５００を示す。図３５Ａ及び３５Ｂに示されるブロックは、方法３３００を実施するためには要求されない。“代替において”の菱形から分岐した正反対の分枝上に配置されないかぎり、ブロックは、独立して実施することができ及び互いに排他的でない。従って、該ブロックうちのいずれの１つも、他の下流又は上流のブロックが実施されるかどうかにかかわらず実施することができる。方法３３００が図３５Ａ及び３５Ｂの少なくとも１つのブロックを含む場合は、方法３３００は、その少なくとも１つの動作の後に終了することができ、例示されることがあるいずれの後続する下流の動作も必ずしも含める必要はない。逆に、“代替において”の菱形から分岐した正反対の分枝上に配置される動作は、方法のいずれの特定の事例においても互いに排他的な代替であることが予想される。
【０１４６】
方法３３００は、３５１０において、ネットワークエンティティが無線通信システムのｅＭＢＭＳエリア内のアクセスノード間でｅＭＢＭＳシグナリングを調整するための信号を受信することをさらに含むことができる。方法３３００は、３５２０において、ネットワークエンティティがｅＭＢＭＳシグナリングのためのアンカー搬送波のサブフレームの第１の組及びユニキャストシグナリングのためのアンカー搬送波のサブフレームの第２の組を割り当てることをさらに含むことができる。サブフレームの第１の組及びサブフレームの第２の組は、いずれの共通メンバーも共有すべきではない。ブロック３５２０の代替においては、方法３３００は、３５２５において、ネットワークエンティティがｅＭＢＭＳシグナリングのためにアンカー搬送波のいずれのサブフレームも割り当てずにユニキャストシグナリングためにアンカー搬送波のサブフレームを割り当てることをさらに含むことができる。これらの代替は、ネットワークエンティティ（例えば、ｅＮＢ）によって構成可能であり、例えば、システム情報ブロック１３でブロードキャストされたページング制御チャネル（ＰＣＣＨ）を介してモバイルエンティティに引き渡される。
【０１４７】
ブロック３５２０及び３５３０のいずれかの事例に加えて、他の代替３５２８により、方法３３００は、３５３０において、ネットワークエンティティが第２の搬送波でのアップリンクシグナリングを受信することを含まず（ｅｘｃｌｕｓｉｖｅ  ｏｆ）第２の搬送波ダウンリンクシグナリングで送信することをさらに含むことができる。逆に、ブロック３５３０の代替においては、方法３３００は、３５３５において、ネットワークエンティティが第２の搬送波でアップリンクシグナリングを受信することをさらに含むことができる。
【０１４８】
上記の事例３５３０又は３５３５のいずれかと適合する形で、方法３３００は、３５３２において、ネットワークエンティティが対になっていないスペクトルを有する第２の搬送波でｅＭＢＭＳシグナリングを送信することを含むことができる。ここにおいて使用される場合において、“対になっていないスペクトル”は、アップリンク及びダウンリンクシグナリングのための別々に割り当てられたスペクトルは使用せず、従って、アップリンク、ダウンリンク、又は両方に関して同じスペクトルを使用する無線スペクトルを意味する。これは、アップリンク及びダウンリンクに関して異なるスペクトルを使用する対になったスペクトルと対照的である。３５３２の代替においては、ネットワークエンティティは、第２の搬送波でｅＭＢＭＳシグナリングを送信しない。代替においては、又はさらなる追加で、方法３３００は、３５３８において、第２の搬送波内で制御シンボルを割り当てるのを回避するためにアンカー搬送波内でクロスキャリアシグナリングを使用することをさらに含むことができる。代替においては、又はさらなる追加で、方法３３００は、３５４０において、ネットワークエンティティがアンカー搬送波ですべての取得信号を送信することをさらに含むことができる。
【０１４９】
今度は図３５Ｂを参照し、第１の代替により、方法３３００は、３５５０において、ネットワークエンティティがｅＭＢＭＳシグナリングのための第２の搬送波のサブフレームの第１の組及びユニキャストシグナリングのための第２の搬送波のサブフレームの第２の組を割り当てることをさらに含むことができる。サブフレームの第１の組及びサブフレームの第２の組は、いずれの共通メンバーも共有すべきではない。ブロック３５５０の代替３５５２においては、方法３３００は、３５５５において、ネットワークエンティティがユニキャストシグナリングのために第２の搬送波のいずれのサブフレームも割り当てずにｅＭＢＭＳシグナリングのために第２の搬送波のサブフレームを割り当てることをさらに含むことができる。方法３３００は、３５６０において、ネットワークエンティティがアンカー搬送波のために使用される時分割複信（ＴＤＤ）プロトコルと異なる形で構成されたＴＤＤプロトコルを用いて第２の搬送波でｅＭＢＭＳシグナリングを送信することをさらに含むことができる。これは、第２の搬送波のダウンリンク容量を増大させるために行うことができる。方法３３００は、３５７０において、ネットワークエンティティがアンカー搬送波のために使用されるより低い電力のネットワークよりも高い電力のネットワークを用いて第２の搬送波でｅＭＢＭＳシグナリングを送信することをさらに含むことができる。
【０１５０】
他の代替においては、方法３３００は、３５８０において、ネットワークエンティティが第１のタイプのサイクリックプリフィクス（ＣＰ）を用いて第１のネットワークを通じて第２の搬送波でｅＭＢＭＳシグナリングを送信し、及び第１のタイプのＣＰと異なる第２のタイプのＣＰを用いてアンカー搬送波で第２のネットワークを通じてユニキャストシグナリングを送信することをさらに含むことができる。ブロック３５８０の代替においては、方法３３００は、３５８５において、ネットワークエンティティが第１のタイプのサイクリックプリフィックス（ＣＰ）を用いて第１のネットワークを通じて第２の搬送波でｅＭＢＭＳシグナリングを送信し、及び同じく第１のタイプのＣＰを用いてアンカー搬送波で第２のネットワークを通じてユニキャストシグナリングを送信することをさらに含むことができ、第１のタイプのＣＰは、第１及び第２のネットワークに関する２つの異なるＣＰタイプのうちの長い方のＣＰとして選択される。
【０１５１】
対応して、図３６Ａ及び３６Ｂは、無線通信システムの少なくとも１つのモバイルエンティティにおいてｅＭＢＭＳを用いるための方法３４００と関係させてモバイルエンティティによって実施することができるさらなる任意選択の動作又は態様３６００を示す。図３６Ａ及び３６Ｂに示されるブロックは、方法３４００を実施するためには要求されない。“代替における”の菱形から分岐した正反対の分枝上に配置されないかぎり、ブロックは、独立して実施することができ及び互いに排他的でない。従って、該ブロックのうちのいずれの１つも、他の下流又は上流の動作が実施されるかどうかにかかわらず実施することができる。方法１３３００が図３６Ａ及び３６Ｂの少なくとも１つのブロックを含む場合は、方法３４００は、その少なくとも１つのブロックの後に終了することができ、例示されることがあるいずれの後続する下流のブロックも必ずしも含める必要はない。逆に、“代替における”の菱形から分岐した正反対の分枝上に配置されるブロックは、方法のいずれの特定の事例においても互いに排他的な代替であることが予想される。
【０１５２】
方法３４００は、３６２０において、モバイルエンティティがｅＭＢＭＳサービスのためのアンカー搬送波のサブフレームの第１の組及びユニキャストサービスのためのアンカー搬送波のサブフレームの第２の組を処理することをさらに含むことができる。サブフレームの第１の組及びサブフレームの第２の組は、いずれの共通メンバーも共有すべきではない。ブロック３６２０の代替においては、方法３４００は、３６２５において、モバイルエンティティがｅＭＢＭＳサービスのためのアンカー搬送波のいずれのサブフレームも処理せずにユニキャストサービスのためのアンカー搬送波のサブフレームを処理することをさらに含むことができる。これらの代替は、ネットワークエンティティ（例えば、ｅＮＢ）によって構成可能であり、例えば、システム情報ブロック１３でブロードキャストされたＰＣＣＨを介してモバイルエンティティに引き渡すことができる。
【０１５３】
方法３４００は、３６３０において、モバイルエンティティが第２の搬送波でのアップリンクサービスを受信することを含まずに第２の搬送波でのダウンリンクサービスを受信することをさらに含むことができる。ブロック３６３０の代替においては、方法３４００は、３６３５において、モバイルエンティティが第２の搬送波でアップリンクシグナリングを送信することをさらに含むことができる。アップリンクサービス３６３５を送信する場合は、方法３４００は、３６３８において、第２の搬送波内の制御シンボルを処理するのを回避するためにアンカー搬送波内でクロスキャリサービスを使用することをさらに含むことができる。さらに、方法３４００は、３６４０において、モバイルエンティティがアンカー搬送波でのすべての取得信号を受信することをさらに含むことができる。
【０１５４】
図３６Ｂを参照し、方法３４００は、３６５０において、モバイルエンティティがｅＭＢＭＳサービスのための第２の搬送波のサブフレームの第１の組及びユニキャストサービスのための第２の搬送波のサブフレームの第２の組を処理することをさらに含むことができる。サブフレームの第１の組及びサブフレームの第２の組は、いずれの共通メンバーも共有すべきではない。ブロック３６５０の代替においては、方法３４００は、３６５５において、モバイルエンティティがユニキャストサービスのための第２の搬送波のいずれのサブフレームも処理せずにｅＭＢＭＳサービスのための第２の搬送波のサブフレームを処理することをさらに含むことができる。方法３４００は、３６６０において、モバイルエンティティがアンカー搬送波のために使用されるＴＤＤプロトコルと異なる形で構成されたＴＤＤプロトコルを用いて第２の搬送波でｅＭＢＭＳサービスを処理することをさらに含むことができる。これは、第２の搬送波のダウンリンク容量を増大させるために行うことができる。方法３４００は、３６７０において、モバイルエンティティがアンカー搬送波のために使用されるより低い電力のネットワークよりも高い電力のネットワークを通じて第２の搬送波でｅＭＢＭＳサービスを受信することをさらに含むことができる。
【０１５５】
方法３４００は、３６８０において、モバイルエンティティが第１のタイプのサイクリックプリフィクス（ＣＰ）を用いて第１のネットワークを通じて第２の搬送波で受信されたｅＭＢＭＳシグナリングを処理し、及び第１のタイプのＣＰと異なる第２のタイプのＣＰを用いてアンカー搬送波で第２のネットワークを通じて受信されたユニキャストシグナリングを処理することをさらに含むことができる。ブロック３６８０の代替においては、方法３４００は、３６８５において、モバイルエンティティが第１のタイプのサイクリックプリフィックス（ＣＰ）を用いて第１のネットワークを通じて第２の搬送波で受信されたｅＭＢＭＳシグナリングを処理し、及び同じく第１のタイプのＣＰを用いてアンカー搬送波で第２のネットワークを通じて受信されたユニキャストシグナリングを処理することをさらに含むことができ、第１のタイプのＣＰは、第１及び第２のネットワークに関する２つの異なるＣＰタイプのうちの長い方のＣＰとして選択される。
【０１５６】
図３７を参照し、一態様では、方法３４００は、３７９０において、モバイルエンティティが処理利得を向上させるために近隣のｅＭＢＭＳサブフレームからのｅＭＢＭＳ基準信号を用いてユニットサブフレームのない第２の搬送波で受信された信号に関するチャネル推定を行うことをさらに含むことができる。方法３４００は、３７９２において、モバイルエンティティがアンカー搬送波及び第２の搬送波の両方を同一の広がりをもって（ｃｏｅｘｔｅｎｓｉｖｅｌｙ）、例えば、並行して又は同時並行して、受信及び処理することをさらに含むことができる。ブロック３７９２の代替においては、方法３４００は、３７９４において、モバイルエンティティが、ページング信号又はユーザ入力に応答して、アンカー搬送波及び第２の搬送波のうちの単一の１つを選択的に受信及び処理することをさらに含むことができる。
【０１５７】
概して、図３５Ａ−Ｂ及び３６Ａ−Ｂを参照し、分岐ブロック３５１８、３５３６８、３５５２、３５７８、３６１８、３６２８、３６４８、３６８８、又は３６９８と関連付けられた判断機能は、これらの図で描かれるその他のブロックと同様に、ソフトウェア、ハードウェア、それらの組み合わせ又はあらゆるその他の適切な手段（例えば、デバイス、システム、プロセス、又はコンポーネント）によって実装することができる。従って、例えば、分岐判断は、説明される方法のその他の態様を実施するエンティティによる実行中に行うことができ、その他のブロックの実行前に設計によって予め決定することができ、又は、様々な分岐ブロックにわたる前記の何らかの組み合わせによって完遂することができる。
【０１５８】
図３８を参照し、ｅＭＢＭＳを提供するために、無線ネットワーク内のネットワークエンティティ又はノードＢとして、又は、そのネットワークエンティティ又はノードＢ内で使用するためのプロセッサ又は同様のデバイスとして、構成することができる典型的な装置３８００が提供される。装置３８００は、プロセッサ、ソフトウェア、又はそれらの組み合わせ（例えば、ファームウェア）によって実装された機能を表すことができる機能ブロックを含むことができる。
【０１５９】
例示されるように、一実施形態では、装置３８００は、モバイルエンティティにアンカー搬送波でユニキャストサービスのためのユニキャストシグナリングを送信するための電気的コンポーネント又はモジュール３８０２を含むことができる。例えば、電気的コンポーネント３８０２は、トランシーバ、等に、及びアンカー搬送波でユニキャストシグナリングを送信するための命令を有するメモリに、結合された少なくとも１つの制御プロセッサを含むことができる。電気的コンポーネント３８０２は、モバイルエンティティにアンカー搬送波でユニキャストサービスのためのユニキャストシグナリングを送信するための手段であることができ、又は、モバイルエンティティにアンカー搬送波でユニキャストサービスのためのユニキャストシグナリングを送信するための手段を含むことができる。該手段は、アルゴリズムを実行する制御プロセッサを含むことができる。アルゴリズムは、例えば、ユニキャストプロトコルにより情報を変調することと、変調された情報をアンカー搬送波で送信することと、を含むことができる。
【０１６０】
装置３８００は、ユニキャストシグナリングとともに使用するためにモバイルエンティティにアンカー搬送波と異なる第２の搬送波でｅＭＢＭＳシグナリングを送信するための電気的コンポーネント３８０４を含むことができる。例えば、電気的コンポーネント３８０４は、トランシーバ、等に、及び第２の搬送波でｅＭＢＭＳシグナリングを送信するための命令を保持するメモリに、結合された少なくとも１つの制御プロセッサを含むことができる。電気的コンポーネント３８０４は、ユニキャストシグナリングとともに使用するためにモバイルエンティティにアンカー搬送波と異なる第２の搬送波でｅＭＢＭＳシグナリングを送信するための手段であることができ、又は、ユニキャストシグナリングとともに使用するためにモバイルエンティティにアンカー搬送波と異なる第２の搬送波でｅＭＢＭＳシグナリングを送信するための手段を含むことができる。該手段は、アルゴリズムを実行する制御プロセッサを含むことができる。アルゴリズムは、例えば、第２の搬送波で第２の送信チェーンを介して送信するために第２の情報を準備することを含むことができる。アルゴリズムは、例えば、図３５Ａ又は３５Ｂと関係させて開示されるより詳細な動作のうちの１つ以上をさらに含むことができる。装置３８００は、図３５Ａ及び３５Ｂと関係させて説明される追加動作３５００のうちのいずれか又は全部を実施するための同様の電気的コンポーネントを含むことができ、それらは、例示を簡略化することを目的として図３８には示されていない。
【０１６１】
関連する態様では、装置３８００は、装置３８００がネットワークエンティティとして構成される場合、少なくとも１つのプロセッサを有するプロセッサコンポーネント３８１０を任意選択で含むことができる。プロセッサ３８１０は、該場合においては、バス３８１２又は類似の通信カップリングを介してコンポーネント３８０２乃至３８０４又は同様のコンポーネントと動作可能な形で通信することができる。プロセッサ３８１０は、電気的コンポーネント３８０２乃至３８０４によって実施されるプロセス又は機能の開始及びスケジューリングを行うことができる。
【０１６２】
さらなる関連する態様では、装置３８００は、無線トランシーバコンポーネント３８１４を含むことができる。トランシーバ３８１４の代わりに又はトランシーバ３８１４とともに独立型の受信機及び／又は独立型の送信機を使用することができる。装置３８００は、情報を格納するためのコンポーネント、例えば、メモリデバイス／コンポーネント３８１６、を任意選択で含むことができる。コンピュータによって読み取り可能な媒体又はメモリコンポーネント３８１６は、バス３８１２、等を介して装置３８００のその他のコンポーネントに動作可能な形で結合することができる。メモリコンポーネント３８１６は、コンポーネント３８０２乃至３８０４、及びそれらのサブコンポーネント、又はプロセッサ３８１０の活動、追加の態様３５００、又はここにおいて開示される方法を実施するためのコンピュータによって読み取り可能な命令及びデータを格納するように好適化することができる。メモリコンポーネント３８１６は、コンポーネント３８０２乃至３８０４と関連付けられた機能を実行するための命令を保持することができる。コンポーネント３８０２乃至３８０４は、メモリ３８１６の外部のコンポーネントとして示されているが、メモリ３８１６内に存在できることが理解されるべきである。
【０１６３】
図３９を参照し、複数の搬送波を通じてｅＭＢＭＳにアクセスするために、無線ネットワーク内のモバイルエンティティ又はＵＥとして、又は、そのＭＥ又はＵＥ内で使用するためのプロセッサ又は同様のデバイスとして、構成することができる典型的な装置３９００が提供される。装置３９００は、プロセッサ、ソフトウェア、又はそれらの組み合わせ（例えば、ファームウェア）によって実装された機能を表すことができる機能ブロックを含むことができる。
【０１６４】
一実施形態では、装置３９００は、ネットワークエンティティからアンカー搬送波で受信されたユニキャストサービスのためにユニキャストシグナリングを処理するための電気的コンポーネント又はモジュール３９０２を含むことができる。例えば、電気的コンポーネント３９０２は、トランシーバ、等に、及び複数の搬送波のうちのアンカーのそれを通じてユニキャストシグナリングを受信及び処理するための命令を有するメモリに、結合された少なくとも１つの制御プロセッサを含むことができる。電気的コンポーネント３９０２は、複数の搬送波のうちのアンカーのそれを通じてユニキャストシグナリングを受信及び処理するため手段であることができ、又は、複数の搬送波のうちのアンカーのそれを通じてユニキャストシグナリングを受信及び処理するための手段を含むことができる。該手段は、アルゴリズムを実行する制御プロセッサを含むことができる。アルゴリズムは、例えば、アンカー搬送波での変調された情報を受信することと、ユニキャストプロトコルによりその情報を復調することと、を含むことができる。
【０１６５】
装置３９００は、アンカー搬送波と異なる第２の搬送波でネットワークエンティティから受信されたｅＭＢＭＳシグナリングを処理するための電気的コンポーネント３９０４を含むことができる。例えば、電気的コンポーネント３９０４は、トランシーバ、等に、及び複数の搬送波のうちの第２のそれを通じてｅＭＢＭＳシグナリングを受信及び処理するための命令を保持するメモリに、結合された少なくとも１つの制御プロセッサを含むことができる。電気的コンポーネント３９０４は、アンカー搬送波と異なる第２の搬送波でネットワークエンティティから受信されたｅＭＢＭＳシグナリングを処理するための手段であることができ、又は、アンカー搬送波と異なる第２の搬送波でネットワークエンティティから受信されたｅＭＢＭＳシグナリングを処理するための手段を含むことができる。該手段は、アルゴリズムを実行する制御プロセッサを含むことができる。アルゴリズムは、例えば、アンカー搬送波以外の第２の搬送波での変調された情報を受信することと、ｅＭＢＭＳプロトコルによりその情報を復調することと、を含むことができる。アルゴリズムは、例えば、図３６Ａ−３６Ｂ又は３７と関係させて開示されるより詳細な動作のうちの１つ以上をさらに含むことができる。装置３９００は、図３６Ａ、３６Ｂ及び３７と関係させて説明される追加動作３６００のうちのいずれか又は全部を実施するための同様の電気的コンポーネントを含むことができ、それらは、例示を簡略化することを目的として図３９には示されていない。
【０１６６】
関連する態様では、装置３９００は、装置３９００がモバイルエンティティとして構成される場合、少なくとも１つのプロセッサを有するプロセッサコンポーネント３９１０を任意選択で含むことができる。プロセッサ３９１０は、該場合においては、バス３９１２又は類似の通信カップリングを介してコンポーネント３９０２乃至３９０４又は同様のコンポーネントと動作可能な形で通信することができる。プロセッサ３９１０は、電気的コンポーネント３９０２乃至３９０４によって実施されるプロセス又は機能の開始及びスケジューリングを行うことができる。
【０１６７】
さらなる関連する態様では、装置３９００は、無線トランシーバコンポーネント３９３９を含むことができる。トランシーバ３９１４の代わりに又はトランシーバ３９１４とともに独立型の受信機及び／又は独立型の送信機を使用することができる。装置３９００は、情報を格納するためのコンポーネント、例えば、メモリデバイス／コンポーネント３９１６、を任意選択で含むことができる。コンピュータによって読み取り可能な媒体又はメモリコンポーネント３９１６は、バス３９１２、等を介して装置３９００のその他のコンポーネントに動作可能な形で結合することができる。メモリコンポーネント３９１６は、コンポーネント３９０２乃至３９０４、及びそれらのサブコンポーネント、又はプロセッサ３９１０の活動、追加の態様３６００、又はここにおいて開示される方法を実施するためのコンピュータによって読み取り可能な命令及びデータを格納するように好適化することができる。メモリコンポーネント３９１６は、コンポーネント３９０２乃至３９０４と関連付けられた機能を実行するための命令を保持することができる。コンポーネント３９０２乃至３９０４は、メモリ３９１６の外部のコンポーネントとして示されているが、メモリ３９１６内に存在できることが理解されるべきである。
【０１６８】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１６９】
ここにおける開示と関係させて説明される様々な例示的な論理ブロック、モジュール、回路、及びアルゴリズムのステップは、電子ハードウェア、コンピュータソフトウェア、又は両方の組み合わせとして実装可能であることを当業者はさらに評価するであろう。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェアとして実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【０１７０】
ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【０１７１】
ここにおける開示と関係させて説明される方法又はアルゴリズムのステップは、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。典型的な記憶媒体は、プロセッサが記憶媒体から情報を読み出すこと及び記憶媒体に情報を書き込むことができるようにプロセッサに結合される。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別コンポーネントとして常駐することができる。
【０１７２】
１つ以上の典型的な設計において、説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令又はコードとして格納すること又は送信することができる。非一時的なコンピュータによって読み取り可能な媒体は、１つの場所から他へのコンピュータプログラムの転送を容易にするために使用されるかどうかにかかわらず、コンピュータ記憶媒体と一時的メモリ媒体との両方を含む。記憶媒体は、汎用又は専用コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコード手段を搬送又は格納するために用いることができ及び汎用又は専用コンピュータ又は汎用又は専用プロセッサによってアクセス可能なその他の媒体、を備えることができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは、磁気的に符号化されたデータを保持する媒体を意味し、ｄｉｓｃは、光学的に符号化されたデータを保持する媒体を意味する。上記の組合せも、コンピュータによって読み取り可能な媒体の適用範囲に含めるべきである。
【０１７３】
本開示に関する前の説明は、当業者が本開示を製造又は使用することを可能にするために提供される。本開示に対する様々な修正は、当業者にとって容易に明確になるであろう、及びここにおいて定められる一般原理は、本開示の精神又は適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
以下に、本願出願の当初の特許請求の範囲に記載された発明を付記する。
［Ｃ１］  無線通信システムの複数の搬送波を用いてエボルブドマルチメディアブロードキャスト／マルチキャストサービス（ｅＭＢＭＳ）を送信するための方法であって、
セカンダリ搬送波で基地局から単一搬送波ネットワーク（ＭＢＳＦＮ）信号でのマルチメディアブロードキャスト／マルチキャストサービス（ＭＢＭＳ）を送信することと、
プライマリ搬送波で前記基地局からマルチキャスト制御チャネル（ＭＣＣＨ）を取得するために使用される情報を送信することであって、前記基地局は、前記プライマリ搬送波で少なくともユニキャストシグナリングも送信することと、
ｅＭＢＭＳ信号を搬送する１つ以上の後方互換可能な搬送波に関して前記プライマリ搬送波での専用シグナリングにおいて前記ＭＣＣＨを取得するための前記情報を含め、他方、ｅＭＢＭＳシグナリングを搬送する１つ以上の後方互換不能な搬送波に関して前記プライマリ搬送波での共通シグナリングにおいてＭＣＣＨを取得するための前記情報を含めることと、を備える、方法。
［Ｃ２］  前記プライマリ搬送波のシステム情報ブロック（ＳＩＢ）において前記ＭＣＣＨチャネルを取得するための前記情報を含めることをさらに備えるＣ１に記載の方法。
［Ｃ３］  前記プライマリ搬送波の１つ以上のシステム情報ブロック（ＳＩＢ）において前記ＭＣＣＨを取得するための前記情報の少なくとも一部分を含めることをさらに備えるＣ１に記載の方法。
［Ｃ４］  前記プライマリ搬送波のＳＩＢ１３において前記ＭＣＣＨを取得するための前記情報の少なくとも一部分を含めることをさらに備えるＣ３に記載の方法。
［Ｃ５］  前記プライマリ搬送波のために使用される時分割複信（ＴＤＤ）プロトコルと異なる形で構成されたＴＤＤプロトコルを用いて前記第２の搬送波でＭＢＳＦＮシグナリングを送信することをさらに備えるＣ１に記載の方法。
［Ｃ６］  無線通信システムの複数の搬送波を用いてエボルブドマルチメディアブロードキャスト／マルチキャストサービス（ｅＭＢＭＳ）を送信するための装置であって、
セカンダリ搬送波で基地局から単一搬送波ネットワーク（ＭＢＳＦＮ）信号でのマルチメディアブロードキャスト／マルチキャストサービス（ＭＢＭＳ）を送信するための手段と、
プライマリ搬送波で前記基地局からマルチキャスト制御チャネル（ＭＣＣＨ）を取得するために使用される情報を送信するための手段であって、前記基地局は、前記プライマリ搬送波で少なくともユニキャストシグナリングも送信する手段と、
ｅＭＢＭＳ信号を搬送する１つ以上の後方互換可能な搬送波に関して前記プライマリ搬送波での専用シグナリングにおいて前記ＭＣＣＨを取得するための前記情報を含め、他方、ｅＭＢＭＳシグナリングを搬送する１つ以上の後方互換不能な搬送波に関して前記プライマリ搬送波での共通シグナリングにおいてＭＣＣＨを取得するための前記情報を含めるための手段と、を備える、装置。
［Ｃ７］  前記プライマリ搬送波のために使用される時分割複信（ＴＤＤ）プロトコルと異なる形で構成されたＴＤＤプロトコルを用いて前記第２の搬送波でＭＢＳＦＮシグナリングを送信するための手段をさらに備えるＣ６に記載の装置。
［Ｃ８］  無線通信システムの複数の搬送波を用いてエボルブドマルチメディアブロードキャスト／マルチキャストサービス（ｅＭＢＭＳ）を送信し、セカンダリ搬送波で基地局からＭＢＳＦＮ信号を送信するための装置であって、
セカンダリ搬送波で基地局から単一搬送波ネットワーク（ＭＢＳＦＮ）信号でのマルチメディアブロードキャスト／マルチキャストサービス（ＭＢＭＳ）を送信し、プライマリ搬送波で前記基地局からマルチキャスト制御チャネル（ＭＣＣＨ）を取得するために使用される情報を送信し、及び、ｅＭＢＭＳ信号を搬送する１つ以上の後方互換可能な搬送波に関して前記プライマリ搬送波での専用シグナリングにおいて前記ＭＣＣＨを取得するための前記情報を含め、他方、ｅＭＢＭＳシグナリングを搬送する１つ以上の後方互換不能な搬送波に関して前記プライマリ搬送波での共通シグナリングにおいてＭＣＣＨを取得するための前記情報を含めるための少なくとも１つのプロセッサであって、前記基地局は、前記プライマリ搬送波で少なくともユニキャストシグナリングも送信する少なくとも１つのプロセッサと、
データを格納するために前記少なくとも１つのプロセッサに結合されたメモリと、を備える、装置。
［Ｃ９］  前記プロセッサは、前記プライマリ搬送波のシステム情報ブロック（ＳＩＢ）において前記ＭＣＣＨを取得するための前記情報を含めるためにさらに構成されるＣ８に記載の装置。
［Ｃ１０］  前記プロセッサは、前記プライマリ搬送波の１つ以上のシステム情報ブロック（ＳＩＢ）において前記ＭＣＣＨを取得するための前記情報の少なくとも一部分を含めるためにさらに構成されるＣ８に記載の装置。
［Ｃ１１］  前記プロセッサは、前記プライマリ搬送波のＳＩＢ１３において前記ＭＣＣＨを取得するための前記情報の少なくとも一部分を含めるためにさらに構成されるＣ１０に記載の装置。
［Ｃ１２］  前記プロセッサは、前記プライマリ搬送波のために使用される時分割複信（ＴＤＤ）プロトコルと異なる形で構成されたＴＤＤプロトコルを用いて前記第２の搬送波でＭＢＳＦＮシグナリングを送信するためにさらに構成されるＣ８に記載の装置。
［Ｃ１３］  無線通信システムの複数の搬送波を用いてエボルブドマルチメディアブロードキャスト／マルチキャストサービス（ｅＭＢＭＳ）を送信するためのコンピュータプログラム製品であって、
セカンダリ搬送波で基地局から単一搬送波ネットワーク（ＭＢＳＦＮ）信号でのマルチメディアブロードキャスト／マルチキャストサービス（ＭＢＭＳ）を送信し、プライマリ搬送波で前記基地局からマルチキャスト制御チャネル（ＭＣＣＨ）を取得するために使用される情報を送信し、及び、ｅＭＢＭＳ信号を搬送する１つ以上の後方互換可能な搬送波に関して前記プライマリ搬送波での専用シグナリングにおいて前記ＭＣＣＨを取得するための前記情報を含め、他方、ｅＭＢＭＳシグナリングを搬送する１つ以上の後方互換不能な搬送波に関して前記プライマリ搬送波での共通シグナリングにおいてＭＣＣＨを取得するための前記情報を含めるためのコードを備えるコンピュータによって読み取り可能な媒体であって、前記基地局は、前記プライマリ搬送波で少なくともユニキャストシグナリングも送信するコンピュータによって読み取り可能な媒体、を備える、コンピュータプログラム製品。
［Ｃ１４］  無線通信システムの複数の搬送波を用いてのエボルブドマルチメディアブロードキャスト／マルチキャストサービス（ｅＭＢＭＳ）を受信するための方法であって、
セカンダリ搬送波でモバイルエンティティにおいて単一周波数ネットワーク（ＭＢＳＦＮ）信号でのマルチメディアブロードキャスト／マルチキャストサービス（ＭＢＭＳ）を受信することと、
プライマリ搬送波の１つ以上のシステム情報ブロック（ＳＩＢ）においてマルチキャスト制御チャネル（ＭＣＣＨ）を取得するための情報の少なくとも一部分を前記プライマリ搬送波で受信することであって、前記プライマリ搬送波は、少なくともユニキャストシグナリングも含むことと、を備える、方法。
［Ｃ１５］  前記プライマリ搬送波のシステム情報ブロック１３（ＳＩＢ１３）において前記ＭＣＣＨを取得するための前記情報を受信することをさらに備えるＣ１４に記載の方法。
［Ｃ１６］  前記プライマリ搬送波のＳＩＢ１３において前記ＭＣＣＨを取得するための前記情報の少なくとも一部分を受信することをさらに備えるＣ１４に記載の方法。
［Ｃ１７］  前記プライマリ搬送波のために使用される時分割複信（ＴＤＤ）プロトコルと異なる形で構成されたＴＤＤプロトコルを用いて前記第２の搬送波でのＭＢＳＦＮシグナリングを処理することをさらに備えるＣ１４に記載の方法。
［Ｃ１８］  無線通信システムの複数の搬送波を用いてエボルブドマルチメディアブロードキャスト／マルチキャストサービス（ｅＭＢＭＳ）サービスを受信するための装置であって、
セカンダリ搬送波でモバイルエンティティにおいて単一周波数ネットワーク（ＭＢＳＦＮ）信号でのマルチメディアブロードキャスト／マルチキャストサービス（ＭＢＭＳ）を受信するための手段と、
プライマリ搬送波の１つ以上のシステム情報ブロック（ＳＩＢ）においてマルチキャスト制御チャネル（ＭＣＣＨ）を取得するための情報の少なくとも一部分を前記プライマリ搬送波で受信するための手段であって、前記プライマリ搬送波は、少なくともユニキャストシグナリングも含む手段と、を備える、装置。
［Ｃ１９］  前記プライマリ搬送波のために使用される時分割複信（ＴＤＤ）プロトコルと異なる形で構成されたＴＤＤプロトコルを用いて前記第２の搬送波でのＭＢＳＦＮシグナリングを処理することをさらに備えるＣ１８に記載の装置。
［Ｃ２０］  無線通信システムの複数の搬送波を用いてエボルブドマルチメディアブロードキャスト／マルチキャストサービス（ｅＭＢＭＳ）を受信するための装置であって、
セカンダリ搬送波でモバイルエンティティにおいて単一周波数ネットワーク（ＭＢＳＦＮ）信号でのマルチメディアブロードキャスト／マルチキャストサービス（ＭＢＭＳ）を受信し、及び、プライマリ搬送波の１つ以上のシステム情報ブロック（ＳＩＢ）においてマルチキャスト制御チャネル（ＭＣＣＨ）を取得するための情報の少なくとも一部分を前記プライマリ搬送波で受信するために構成された少なくとも１つのプロセッサであって、前記プライマリ搬送波は、少なくともユニキャストシグナリングも含む少なくとも１つのプロセッサと、
データを格納するために前記少なくとも１つのプロセッサに結合されたメモリと、を備える、装置。
［Ｃ２１］  前記プロセッサは、前記プライマリ搬送波のシステム情報ブロック１３（ＳＩＢ１３）において前記ＭＣＣＨを取得するための前記情報を受信するためにさらに構成されるＣ２０に記載の装置。
［Ｃ２２］  前記プロセッサは、前記プライマリ搬送波のＳＩＢ１３において前記ＭＣＣＨを取得するための前記情報の少なくとも一部分を受信するためにさらに構成されるＣ２０に記載の装置。
［Ｃ２３］  前記プロセッサは、前記プライマリ搬送波のために使用される時分割複信（ＴＤＤ）プロトコルと異なる形で構成されたＴＤＤプロトコルを用いて前記第２の搬送波でのＭＢＳＦＮシグナリングを処理するためにさらに構成されるＣ２０に記載の装置。
［Ｃ２４］  無線通信システムの複数の搬送波を用いてエボルブドマルチメディアブロードキャスト／マルチキャストサービス（ｅＭＢＭＳ）を受信するためのコンピュータプログラム製品であって、
セカンダリ搬送波でモバイルエンティティにおいて単一搬送波ネットワーク（ＭＢＳＦＮ）信号でのマルチメディアブロードキャスト／マルチキャストサービス（ＭＢＭＳ）を受信し、及び、プライマリ搬送波の１つ以上のシステム情報ブロック（ＳＩＢ）においてマルチキャスト制御チャネル（ＭＣＣＨ）を取得するための情報の少なくとも一部分を前記プライマリ搬送波で受信するためのコードを備える非一時的なコンピュータによって読み取り可能な媒体であって、前記プライマリ搬送波は、少なくともユニキャストシグナリングも含む非一時的なコンピュータによって読み取り可能な媒体、を備える、コンピュータプログラム製品。
［Ｃ２５］  無線通信システムの単一周波数ネットワーク（ＭＢＳＦＮ）でのマルチメディアブロードキャスト／マルチキャストサービス（ＭＢＭＳ）のために使用されるサブフレームを割り当てるための方法であって、
ＭＢＳＦＮ情報を搬送するサブフレームの増大された割り当てを提供するために混合搬送波で本来はユニキャストサブフレーム用に予約された１つ以上のサブフレームの少なくとも一部分を割り当てることと、
サブフレームの前記増大された割り当てでＭＢＳＦＮ信号を送信することと、を備える、方法。
［Ｃ２６］  ＭＢＳＦＮ情報のために奇数の無線フレーム内のサブフレーム５を割り当てることをさらに備えるＣ２５に記載の方法。
［Ｃ２７］  システム情報ブロック（ＳＩＢ）をスケジューリングすることと、偶数の無線フレーム内のサブフレーム５及びサブフレーム０のうちの少なくとも１つにおいてページングすることと、をさらに備えるＣ２５に記載の方法。
［Ｃ２８］  周波数分割複信（ＦＤＤ）プロトコルによりサブフレームを割り当てることをさらに備えるＣ２５に記載の方法。
［Ｃ２９］  ＭＢＳＦＮ情報のためにサブフレーム４及び９のうちの少なくとも１つを割り当てることをさらに備えるＣ２８に記載の方法。
［Ｃ３０］  時分割複信（ＴＤＤ）プロトコルによりサブフレームを割り当てることをさらに備えるＣ２５に記載の方法。
［Ｃ３１］  ＭＢＳＦＮ情報のためにサブフレーム１及び６のうちの少なくとも１つを割り当てることをさらに備えるＣ３０に記載の方法。
［Ｃ３２］  ＭＢＳＦＮのために前記混合搬送波を専用で使用する一時的な期間に対処するためにサブフレームの増大された割り当てを提供するために前記サブフレームを割り当てることをさらに備えるＣ２５に記載の方法。
［Ｃ３３］  前記一時的な期間の経過に応答して、本来はユニキャストシグナリング用に予約された１つ以上のサブフレームの前記少なくとも一部分を再度割り当てることをさらに備えるＣ３２に記載の方法。
［Ｃ３４］  無線通信システムの単一周波数ネットワーク（ＭＢＳＦＮ）でのマルチメディアブロードキャスト／マルチキャストサービス（ＭＢＭＳ）のために使用されるサブフレームを割り当てるための装置であって、
ＭＢＳＦＮ情報を搬送するサブフレームの増大された割り当てを提供するために混合搬送波で本来はユニキャストシグナリング用に予約された１つ以上のサブフレームの少なくとも一部分を割り当てるための手段と、
サブフレームの前記増大された割り当てでＭＢＳＦＮ信号を送信するための手段と、を備える、装置。
［Ｃ３５］  無線通信システムの単一周波数ネットワーク（ＭＢＳＦＮ）でのマルチメディアブロードキャスト／マルチキャストサービス（ＭＢＭＳ）のために使用されるサブフレームを割り当てるための装置であって、
ＭＢＳＦＮ情報を搬送するサブフレームの増大された割り当てを提供するために混合搬送波で本来はユニキャスト信号用に予約された１つ以上のサブフレームの少なくとも一部分を割り当てるために構成された少なくとも１つのプロセッサと、
データを格納するために前記少なくとも１つのプロセッサに結合されたメモリと、を備える、装置。
［Ｃ３６］  前記プロセッサは、ＭＢＳＦＮ情報のために奇数の無線フレーム内のサブフレーム５を割り当てるためにさらに構成されるＣ３５に記載の装置。
［Ｃ３７］  前記プロセッサは、システム情報ブロック（ＳＩＢ）をスケジューリングし及び偶数の無線フレーム内のサブフレーム５及びサブフレーム０のうちの少なくとも１つにおいてページングするためにさらに構成されるＣ３５に記載の装置。
［Ｃ３８］  前記プロセッサは、周波数分割複信（ＦＤＤ）プロトコルによりサブフレームを割り当てるためにさらに構成されるＣ３５に記載の装置。
［Ｃ３９］  前記プロセッサは、ＭＢＳＦＮ情報のためにサブフレーム４及び９のうちの少なくとも１つを割り当てるためにさらに構成されるＣ３８に記載の装置。
［Ｃ４０］  前記プロセッサは、時分割複信（ＴＤＤ）プロトコルによりサブフレームを割り当てるためにさらに構成されるＣ３５に記載の装置。
［Ｃ４１］  前記プロセッサは、ＭＢＳＦＮ情報のためにサブフレーム１及び６のうちの少なくとも１つを割り当てるためにさらに構成されるＣ４０に記載の装置。
［Ｃ４２］  前記プロセッサは、ＭＢＳＦＮのために前記混合搬送波を専用で使用する一時的な期間に対処するためにサブフレームの増大された割り当てを提供するために前記サブフレームを割り当てるためにさらに構成されるＣ３５に記載の装置。
［Ｃ４３］  前記プロセッサは、前記一時的な期間の経過に応答して、本来はユニキャストシグナリング用に予約された１つ以上のサブフレームの前記少なくとも一部分を再度割り当てるためにさらに構成されるＣ４２に記載の装置。
［Ｃ４４］  無線通信システムの単一周波数ネットワーク（ＭＢＳＦＮ）でのマルチメディアブロードキャスト／マルチキャストサービス（ＭＢＭＳ）のために使用されるサブフレームを割り当てるためのコンピュータプログラム製品であって、
ＭＢＳＦＮ情報を搬送するサブフレームの増大された割り当てを提供するために混合搬送波で本来はユニキャスト信号用に予約された１つ以上のサブフレームの少なくとも一部分を割り当てるための、及びサブフレームの前記増大された割り当てでＭＢＳＦＮ信号を送信するための、コードを備える非一時的なコンピュータによって読み取り可能な媒体を備える、コンピュータプログラム製品。
［Ｃ４５］  無線通信システムの単一周波数ネットワーク（ＭＢＳＦＮ）でのマルチメディアブロードキャスト／マルチキャストサービス（ＭＢＭＳ）のために使用されるサブフレームを解釈するための方法であって、
ＭＢＳＦＮ信号がＭＢＳＦＮ情報を搬送するサブフレームの増大された割り当てを有すると決定することであって、ユニキャスト信号用に予め予約されている１つ以上のサブフレームが代わりにマルチキャスト信号に割り当てられることと、
マルチキャストコンテンツ出力を提供するために前記増大された割り当てにより前記ＭＢＳＦＮ信号を復号することと、を備える、方法。
［Ｃ４６］  ＭＢＳＦＮ情報のために奇数の無線フレーム内のサブフレーム５を復号することをさらに備えるＣ４５に記載の方法。
［Ｃ４７］  システム情報ブロック（ＳＩＢ）を復号することと、偶数の無線フレーム内のサブフレーム５及びサブフレーム０のうちの少なくとも１つにおいてページングすることと、をさらに備えるＣ４５に記載の方法。
［Ｃ４８］  周波数分割複信（ＦＤＤ）プロトコルによりサブフレームを復号することをさらに備えるＣ４５に記載の方法。
［Ｃ４９］  ＭＢＳＦＮ情報のためにサブフレーム４及び９のうちの少なくとも１つを復号することをさらに備えるＣ４８に記載の方法。
［Ｃ５０］  時分割複信（ＴＤＤ）プロトコルによりサブフレームを復号することをさらに備えるＣ４５に記載の方法。
［Ｃ５１］  ＭＢＳＦＮ情報のためにサブフレーム１及び６のうちの少なくとも１つを復号することをさらに備えるＣ５０に記載の方法。
［Ｃ５２］  非ＭＢＳＦＮ情報のためにサブフレーム１及び６の前記最初の４つのシンボルを復号することをさらに備えるＣ５１に記載の方法。
［Ｃ５３］  ＭＢＳＦＮのために前記混合搬送波を専用で使用する一時的な期間に対処するためにサブフレームの増大された割り当てを入手するために前記サブフレームを復号することをさらに備えるＣ４５に記載の方法。
［Ｃ５４］  前記一時的な期間の経過に応答して、本来はユニキャスト信号用に予約されておりユニキャストシグナリングのために前記ＭＢＳＦＮ信号に一時的に割り当てられる１つ以上のサブフレームの前記少なくとも一部分を復号することをさらに備えるＣ５３に記載の方法。
［Ｃ５５］  無線通信システムの単一周波数ネットワーク（ＭＢＳＦＮ）でのマルチメディアブロードキャスト／マルチキャストサービス（ＭＢＭＳ）のために使用されるサブフレームを解釈するための装置であって、
ＭＢＳＦＮ信号がＭＢＳＦＮ情報を搬送するサブフレームの増大された割り当てを有すると決定するための手段であって、ユニキャスト信号用に予め予約されている１つ以上のサブフレームが代わりにマルチキャスト信号に割り当てられる手段と、
マルチキャストコンテンツ出力を提供するために前記増大された割り当てにより前記ＭＢＳＦＮ信号を復号するための手段と、を備える、装置。
［Ｃ５６］  無線通信システムの単一周波数ネットワーク（ＭＢＳＦＮ）でのマルチメディアブロードキャスト／マルチキャストサービス（ＭＢＭＳ）のために使用されるサブフレームを解釈するための装置であって、
ＭＢＳＦＮ信号がＭＢＳＦＮ情報を搬送するサブフレームの増大された割り当てを有すると決定するために、及び、マルチキャストコンテンツ出力を提供するために前記増大された割り当てによりＭＢＳＦＮ信号を復号するために構成された少なくとも１つのプロセッサであって、ユニキャスト信号用に予め予約されている１つ以上のサブフレームが代わりにマルチキャスト信号に割り当てられる少なくとも１つのプロセッサと、
データを格納するために前記少なくとも１つのプロセッサに結合されたメモリと、を備える、装置。
［Ｃ５７］  前記プロセッサは、ＭＢＳＦＮ情報のために奇数の無線フレーム内のサブフレーム５を復号するためにさらに構成されるＣ５６に記載の装置。
［Ｃ５８］  前記プロセッサは、システム情報ブロック（ＳＩＢ）を復号し、及び偶数の無線フレーム内のサブフレーム５及びサブフレーム０のうちの少なくとも１つにおいてページングするためにさらに構成されるＣ５６に記載の装置。
［Ｃ５９］  前記プロセッサは、周波数分割複信（ＦＤＤ）プロトコルによりサブフレームを復号するためにさらに構成されるＣ５６に記載の装置。
［Ｃ６０］  前記プロセッサは、ＭＢＳＦＮ情報のためにサブフレーム４及び９のうちの少なくとも１つを復号するためにさらに構成されるＣ５９に記載の装置。
［Ｃ６１］  前記プロセッサは、時分割複信（ＴＤＤ）プロトコルによりサブフレームを復号するためにさらに構成されるＣ５６に記載の装置。
［Ｃ６２］  前記プロセッサは、ＭＢＳＦＮ情報のためにサブフレーム１及び６のうちの少なくとも１つを復号するためにさらに構成されるＣ６１に記載の装置。
［Ｃ６３］  前記プロセッサは、非ＭＢＳＦＮ情報のためにサブフレーム１及び６の前記最初の４つのシンボルを復号するためにさらに構成されるＣ６２に記載の装置。
［Ｃ６４］  前記プロセッサは、ＭＢＳＦＮのために前記混合搬送波を専用で使用する一時的な期間に対処するためにサブフレームの増大された割り当てを提供するために前記サブフレームを復号するためにさらに構成されるＣ５６に記載の装置。
［Ｃ６５］  前記プロセッサは、前記一時的な期間の経過に応答して、本来はユニキャスト信号用に予約されておりユニキャストシグナリングのためにＭＢＳＦＮ信号に一時的に割り当てられる１つ以上のサブフレームの前記少なくとも一部分を復号するためにさらに構成されるＣ６４に記載の装置。
［Ｃ６６］  無線通信システムの単一周波数ネットワーク（ＭＢＳＦＮ）でのマルチメディアブロードキャスト／マルチキャストサービス（ＭＢＭＳ）のために使用されるサブフレームを解釈するためのコンピュータプログラム製品であって、
ＭＢＳＦＮ信号がＭＢＳＦＮ情報を搬送するサブフレームの増大された割り当てを有すると決定し、及び、マルチキャストコンテンツ出力を提供するために前記増大された割り当てにより前記ＭＢＳＦＮ信号を復号するためのコードを備える非一時的なコンピュータによって読み取り可能な媒体であって、ユニキャスト信号用に予め予約されている１つ以上のサブフレームが代わりにマルチキャスト信号に割り当てられる非一時的なコンピュータによって読み取り可能な媒体、を備える、コンピュータプログラム製品。
【図１】
0005823540.tif 000002
【図２】
0005823540.tif 000003
【図３】
0005823540.tif 000004
【図４Ａ】
0005823540.tif 000005
【図４Ｂ】
0005823540.tif 000006
【図５】
0005823540.tif 000007
【図６Ａ】
0005823540.tif 000008
【図６Ｂ】
0005823540.tif 000009
【図７】
0005823540.tif 000010
【図８】
0005823540.tif 000011
【図９】
0005823540.tif 000012
【図１０】
0005823540.tif 000013
【図１１】
0005823540.tif 000014
【図１２】
0005823540.tif 000015
【図１３】
0005823540.tif 000016
【図１４】
0005823540.tif 000017
【図１５】
0005823540.tif 000018
【図１６】
0005823540.tif 000019
【図１７】
0005823540.tif 000020
【図１８】
0005823540.tif 000021
【図１９】
0005823540.tif 000022
【図２０】
0005823540.tif 000023
【図２１】
0005823540.tif 000024
【図２２】
0005823540.tif 000025
【図２３】
0005823540.tif 000026
【図２４】
0005823540.tif 000027
【図２５】
0005823540.tif 000028
【図２６】
0005823540.tif 000029
【図２７】
0005823540.tif 000030
【図２８】
0005823540.tif 000031
【図２９】
0005823540.tif 000032
【図３０】
0005823540.tif 000033
【図３１】
0005823540.tif 000034
【図３２】
0005823540.tif 000035
【図３３】
0005823540.tif 000036
【図３４】
0005823540.tif 000037
【図３５Ａ】
0005823540.tif 000038
【図３５Ｂ】
0005823540.tif 000039
【図３６Ａ】
0005823540.tif 000040
【図３６Ｂ】
0005823540.tif 000041
【図３７】
0005823540.tif 000042
【図３８】
0005823540.tif 000043
【図３９】
0005823540.tif 000044